(57)【特許請求の範囲】
【請求項１】
体幹部に電流を流すため電流印加電極対に電流を印加し、電圧計測電極対に生じた電位差を測定することにより、体幹部の内臓脂肪組織情報、及び／又は、皮下脂肪組織層情報を求める方法であって、
前記電流印加電極対のうちの少なくとも一方の電流印加電極として複数の電極部からなるマルチ電極を体幹部に接触させ、前記電流印加電極対のうちの他方の電流印加電極を前記一方の電流印加電極から離れた位置に配置し、
前記複数の電極部を順次電気的につなげていくように前記マルチ電極を切換えながら、前記他方の電流印加電極との間に電流を印加し、前記電圧計測電極対で電位差またはインピーダンスを測定し、測定した電位差またはインピーダンスを示す値の変化から、前記マルチ電極の最適電極面積となる電極配置を決定し、
決定した最適電極面積配置の前記マルチ電極と前記他方の電流印加電極との間に電流を印加したとき、前記電圧計測電極対で測定した電位差またはインピーダンスから、体幹部の内臓脂肪組織情報、及び／又は、皮下脂肪組織層情報を求め、
前記マルチ電極の電極面積とは、正確な測定に必要な通電感度を得るのに最適なマルチ電極の電極面積であり、前記最適電極面積となる電極配置を決定するとは、前記最適電極面積となるようにマルチ電極の電極部の電極配置を決定することであることを特徴とする体幹部内臓・皮下脂肪測定方法。
【請求項２】
体幹部に電流を印加するための電流印加電極対と、前記体幹部に生じた電位差を測定するための電圧計測電極対とを備え、前記電圧計測電極対に生じた電位差を測定することにより、前記体幹部の内臓脂肪組織情報、及び／又は、皮下脂肪組織層情報を求める装置であって、
前記電流印加電極対のうちの少なくとも一方の電流印加電極は、複数の電極部からなるマルチ電極であり、
前記マルチ電極の複数の電極部を順次電気的につなげていくように前記マルチ電極を切換え、前記電流印加電極対のうちの他方の電流印加電極との間に電流を印加できるようにする電極切換部と、
前記電圧計測電極対で測定された電位差またはインピーダンスを示す値の変化に基いて前記マルチ電極の最適電極面積配置を決定する最適電極面積配置判定手段と、
前記決定した最適電極面積配置の前記マルチ電極と前記他方の電流印加電極との間に電流を印加したとき、前記電圧計測電極対で測定した電位差またはインピーダンスに基いて体幹部の内臓脂肪組織情報、及び／又は、皮下脂肪組織層情報を求める手段とを備え、
前記最適電極面積配置判定手段は、前記マルチ電極の電極部の電極がマルチ電極の最適電極面積を形成するような電極配置であるかどうかを判定する手段であることを特徴とする体幹部内臓・皮下脂肪測定装置。
【請求項３】
前記電極切換部は、前記マルチ電極の切換えの方向を、対応する電圧計測電極の配置側とは反対の方向とする請求項２に記載の体幹部内臓・皮下脂肪測定装置。
【請求項４】
前記マルチ電極は、複数の細長い電極部が隣接してアレー状に並んだアレー電極である請求項２または３に記載の体幹部内臓・皮下脂肪測定装置。
【請求項５】
前記アレー電極は、固定分電極部と複数の可変分マルチ細分化電極部とからなる請求項４に記載の体幹部内臓・皮下脂肪測定装置。
【請求項６】
前記可変分マルチ細分化電極部のサイズはすべて等しく、前記固定分電極部のサイズは、前記可変分マルチ細分化電極部のサイズより大きい請求項５に記載の体幹部内臓・皮下脂肪測定装置。
【請求項７】
前記マルチ電極は、複数の小さい電極部が縦横にマトリクス状に並んだマトリックス電極である請求項２または３に記載の体幹部内臓・皮下脂肪測定装置。
【請求項８】
前記電流印加電極対の各電流印加電極は、複数の電極部からなるマルチ電極であり、電極切換部は、各マルチ電極の切換えを個別に行え、前記最適電極面積配置判定手段は、前記マルチ電極の最適電極面積の決定を、各マルチ電極に対して個別に行える請求項２から７のうちのいずれか１項に記載の体幹部内臓・皮下脂肪測定装置。
【請求項９】
前記最適電極面積配置判定手段は、前記マルチ電極の切換えに伴う前記測定した電位差またはインピーダンスの変化が所定の値以下に収束するとき、前記最適電極面積配置であると判定する請求項２から８のうちのいずれか１項に記載の体幹部内臓・皮下脂肪測定装置。
【請求項１０】
前記最適電極面積配置判定手段は、前記最適電極面積配置の判定が終了したとき、そのことを表示部に表示して報知する請求項９に記載の体幹部内臓・皮下脂肪測定装置。
【請求項１１】
前記最適電極面積配置判定手段は、前記最適電極面積配置の判定が終了したとき、そのことを報知手段で報知する請求項９に記載の体幹部内臓・皮下脂肪測定装置。
【請求項１２】
体幹部に電流を印加するための電流印加電極対と、前記体幹部に生じた電位差を測定するための電圧計測電極対とを備え、前記電圧計測電極対に生じた電位差を測定することにより前記体幹部の内臓脂肪組織情報、及び／又は、皮下脂肪組織層情報を求める装置であって、
本体部と、前記本体部と電線で接続された一対のグリップ電極部とを備え、
少なくとも一方のグリップ電極部の体幹に接触させるための接触面は、電流印加電極である複数の電極部からなるマルチ電極を備え、
各グリップ電極部の手で把持するためのグリップ部は、電流印加電極と電圧計測電極のうち少なくとも一方を備え、
前記本体部は、前記マルチ電極の複数の電極部を順次電気的につなげていくように前記マルチ電極を切換えて他の電流印加電極との間に電流を印加できるようにする電極切換部と、
前記電圧計測電極対で測定された電位差またはインピーダンスを示す値の変化に基いて、前記マルチ電極の最適電極面積配置を決定する最適電極面積配置判定手段と、
前記決定した最適電極面積配置の前記マルチ電極と前記他方の電流印加電極との間に電流を印加したとき、前記電圧計測電極対で測定した電位差またはインピーダンスに基いて体幹部の内臓脂肪組織情報、及び／又は、皮下脂肪組織層情報を求める手段とを備え、
前記最適電極面積配置判定手段は、前記マルチ電極の電極部の電極がマルチ電極の最適電極面積を形成するような電極配置であるかどうかを判定する手段であることを特徴とする体幹部内臓・皮下脂肪測定装置。
【請求項１３】
前記本体部の各々の側にグリップ電極部が屈曲可能に接続され、前記本体部と前記一対のグリップ電極部とが一体となっている請求項１２に記載の体幹部内臓・皮下脂肪測定装置。
【請求項１４】
前記本体部は体重計形であり、
前記本体部上面の両足を乗せる部分には、左足用の電流印加電極と電圧計測電極、右足用の電流印加電極と電圧計測電極とが設けられている請求項１２に記載の体幹部内臓・皮下脂肪測定装置。
【請求項１５】
前記電極切換部は、前記マルチ電極の切換えの方向を、対応する電圧計測電極の配置側とは反対の方向とする請求項１２から１４のうちのいずれか１項に記載の体幹部内臓・皮下脂肪測定装置。
【請求項１６】
前記マルチ電極は、複数の細長い電極部が隣接してアレー状に並んだアレー電極である請求項１２から１５のうちのいずれか１項に記載の体幹部内臓・皮下脂肪測定装置。
【請求項１７】
前記アレー電極は、固定分電極部と複数の可変分マルチ細分化電極部とからなる請求項１６に記載の体幹部内臓・皮下脂肪測定装置。
【請求項１８】
前記可変分マルチ細分化電極部のサイズはすべて等しく、前記固定分電極部のサイズは、前記可変分マルチ細分化電極部のサイズより大きい請求項１７に記載の体幹部内臓・皮下脂肪測定装置。
【請求項１９】
前記マルチ電極は、複数の小さい電極部が縦横にマトリクス状に並んだマトリックス電極である請求項１２から１５のうちのいずれか１項に記載の体幹部内臓・皮下脂肪測定装置。
【請求項２０】
各グリップ電極部の手で把持するためのグリップ部は、電流印加電極と電圧計測電極とを備える請求項１２から１９のうちのいずれか１項に記載の体幹部内臓・皮下脂肪測定装置。
【請求項２１】
前記グリップ電極部に設けられた前記マルチ電極に近接して、電圧計測電極が設けられている請求項１２から２０のうちのいずれか１項に記載の体幹部内臓・皮下脂肪測定装置。
【発明の詳細な説明】
【技術分野】
【０００１】
本発明は、体幹内臓脂肪組織及び皮下脂肪組織層の測定方法および装置、並びに測定情報を用いた健康指針アドバイス装置に関する。
【背景技術】
【０００２】
生体電気インピーダンスを利用した体脂肪組織の推定技術は、体脂肪組織および体脂肪率を計測する技術として世に広がってきたが、実際には、脂肪組織を直接的に測定するものとはなっておらず、脂肪組織以外の水が支配的な除脂肪組織を電気的に計測したものである。特に、全身（Whole Body）計測では、旧来のタイプでは仰臥位姿勢で片手-片足間を１つの円柱でモデル化している(片手-片足間誘導法)し、簡易型としては、立位姿勢で測定する両掌間誘導法や、体重計と一体になった両脚裏間誘導法、上肢と下肢または、上肢と下肢と体幹部、または、左右上肢、左右下肢、体幹部の様に５セグメントに分けて個別に円柱モデルを適用可能としてインピ−ダンスを計測した技術も顕在化してきている。また、インピ−ダンスＣＴ計測技術を簡略して体幹部臍囲に電流印加・電圧計測電極を配置して腹部のインピ−ダンスを計測し、内臓脂肪組織量を推定する計測技術について、特許出願がなされている（特許文献１および特許文献２参照）。
【０００３】
【特許文献１】特許第３３９６６７７号
【特許文献２】特許第３３９６６７４号
【発明の開示】
【発明が解決しようとする課題】
【０００４】
しかし、体脂肪組織の情報は、糖尿病や高血圧および高脂血症などの生活習慣病のスクリ−ニング用としての有用性が特に問われており、内臓器組織近辺に付着、蓄積した内臓脂肪組織や皮下脂肪組織層に関して、その計測の重要性が日に日に高まってきている。
【０００５】
特に、内臓脂肪組織は、体幹部の腹部付近に集中的に分布する脂肪組織で、Ｘ線ＣТ やＭＲＩ等による腹部横断画像でその脂肪組織の横断面積で判断されてきていた。しかし、装置が大掛かりで、また、Ｘ線の場合被曝の問題もあり、費用面もあり、フィールドおよび家庭用での計測に適さない。そこで、内臓脂肪組織は、全身脂肪組織との相関または、全身の除脂肪組織との相関から推定するのが一般的で、スクリーニング用としても、十分な信頼性を確保するにいたらなかった。
【０００６】
最近では、体幹部の臍囲周辺に電極を配置し、体幹部の内部インピ−ダンスを計測して、内臓脂肪組織情報を推定するといった方法も開発中である。しかしながら、この方法は、骨格筋組織層と皮下脂肪組織層と内臓脂肪組織の間に有意な相関が存在することに基づくものであり、いずれかの組織の情報が捕捉出来ればおおよその情報の推定が可能であることを前提とするものである。このため、非常に有意な相関が存在し得る自立性の高い健康域の被験者については良好な結果が期待できるが、各組織間の相関が異なる対象者、例えば、内臓脂肪組織が顕著に肥大し、かつ、皮下脂肪組織層や骨格筋組織層との相関性が顕著に低い被験者における計測結果については大きな誤差を含んだものとなり得る。つまり、この開発中の方法にあっても、健康な自立生活が可能な被験者であれば、臍部全周囲のどこに電極を配置しても何とか計測の可能性は考えられるが、麻痺・介護患者等、特にベッド上の寝たきり患者での計測となると課題が大きい。
【０００７】
また、この開発中の方法は、測定対象としている組織部位を腹部表面から電流を印加通電させて、内部の組織に関連するインピ−ダンス値を取得している点で高い技術と言えるが、測定部位である体幹部が有する内部構造上の問題から、測定されたインピ−ダンス情報そのものが内臓脂肪組織に対してほとんど有用な感度を有していないのが実情である。即ち、測定部位である体幹部は太短く、多重構造、つまり、測定対象である内臓脂肪組織は内臓器組織や背骨組織とともに非常に良好な導電性を示す骨格筋組織層で覆われ、更に、この骨格筋組織層は電気導電性が非常に悪い皮下脂肪組織層で覆われているといった構造になっている。特に、測定対象である内臓脂肪組織周辺は、骨格筋組織層より導電性が劣る内臓器組織とこの内臓器組織に付着、蓄積した導電性が悪い内臓脂肪組織が支配的で、かつ、複雑な構成のため、骨格筋組織層より内部の導電性はかなり劣るものとなっている。このため、単純に電流印加電極を腹周囲に配置したとしても、大半は、骨格筋組織層を通じた通電になり、電流密度分布も、骨格筋組織層に支配的な電位分布として表面計測電極から観測されることになる。さらに、電流印加電極の表面積または腹周囲方向への電極幅で印加電流密度の分布が決まり、電極直下の皮下脂肪組織層における電流密度が高い拡がり抵抗領域での情報の観測が支配的となってしまう。
【０００８】
更に言えば、測定部位である体幹部は太短いため、電流印加電極直下の電流密度集中（広がり抵抗）領域の皮下脂肪組織層における感度が高くなり、さらに、骨格筋組織は脂肪組織層に比べて導電性が相当高いことから、皮下脂肪組織層を通過した電流の大半が骨格筋組織層を介して対向する電流印加電極側に皮下脂肪組織層を通って戻るル−トを取り、結果的に、内部での電位分布はこの骨格筋組織層で大幅に歪められてしまう。よって、従来の方法では、測定される電位の大半は、皮下脂肪組織層の情報となってしまい、測定対象である内臓脂肪組織、即ち、内臓器組織およびその周囲に付着、蓄積する内臓脂肪組織への通電はほとんど期待できず、全インピ−ダンス計測区間の１０％以下の極めて計測感度の低い情報しか捕捉出来ていないのである。
【０００９】
これらの問題を回避するために、皮下脂肪組織層面積と相関性が高い腹囲長を推定式に組み込むことで、その推定誤差の拡大を防止する方法も考えられてはいるが、この方法はあくまで構成組織間の相関性による間接推定にほかならず、腹部中央に必要な通電感度を確保した計測法とは言いづらい。つまり、統計的相関デザインからずれる個々人の誤差は、保証出来ず、特に病的に皮下や内臓脂肪組織が多い場合や、中間の骨格筋組織層が多い/少ない場合などは顕著な誤差が生じ得る。尚、皮下脂肪組織層面積が腹囲長と相関性が高いのは、人間の体幹部は同心円上の組織配列デザインとなっており、皮下脂肪組織層は、最も外側の配置であるため、外周囲長と皮下脂肪組織厚でその面積が決まることになるからである。
【００１０】
体幹部に対しての電極配置にも通常は、四電極法が用いられる。この方法は、被験者の体内に電流を印加するとともに、印加電流によって被験者の測定部位区間に生じた電位差を測定して測定部位区間生体電気インピーダンスを測定するというものである。体幹部のような太く短い測定部位に四電極法を適用した場合、電流が広がり始めの電流密度集中（即ち、広がり抵抗領域）が、例えば、電流印加電極直下のため、皮下脂肪組織層付近で大きな電位差を生じ、電圧計測電極間で計測される電位差の大半を占めることになる。この広がり抵抗による影響を小さくするためには、電流印加電極と電圧計測電極間距離を十分確保する配置とすることが重要である。一般的な測定では、測定区間が長く電圧計測電極間距離が十分確保できる条件での測定であるため、いわゆるＳ／Ｎ感度（Ｎは広がり抵抗による影響（ノイズ）、Ｓは電圧計測電極間で計測される信号）は十分確保されるはずである。しかしながら、体幹部のような太く短い測定部位の場合は、Ｎを小さくすべく、電流印加電極からの距離を確保しようとして電圧計測電極を遠ざけると、逆に、電圧計測電極区間距離が小さくなり、この結果、Ｓが小さくなって、結局、Ｓ／Ｎは悪くなってしまう。さらに、電流密度が高い広がり抵抗部は、皮下脂肪組織層部であり、厚みがある肥満傾向の被験者が一般的であるため、かなり大きなＮとなってしまい、二重にＳ／Ｎが悪くなってしまう。このように、体幹部のような太く短い測定部位に対して四電極法を用いる場合には、単に臍囲周上に電極を配置しただけでは、内臓脂肪組織への有用なＳ／Ｎ感度を確保することにかなり無理があると推測される。尚、Ｓ／Ｎに関しては、後述する実施例についての説明において更に詳述する。
【００１１】
本発明者等は、これらの問題点を解消するため、導電性の悪い内臓器組織および内臓脂肪組織の領域においても測定に必要な感度を確保し、体幹部に蓄積される脂肪組織、特に、内臓器組織周辺に付着、蓄積する内臓脂肪組織および皮下層に蓄積する皮下脂肪組織層情報を、皮下脂肪組織層情報とともに、切換えのみによって同時に測定可能とするため、四肢と体幹腹部に電極を配置する方法および装置を開発してきた。
しかし、体幹に電極を配置する以上、体幹内部の組織構造は複雑であり、また測定対象が太く短いためにスイートスポット（電極の最適位置）が狭く、そのため、電極が最適電極位置からずれると影響が大きいものと推測される。したがって、信頼性や有用性の高い計測を行うためには、体幹部に配置する電極の最適位置を見つけ出すことが必要となる。
【００１２】
しかし、測定のために電極を配置する体幹腹部における皮下脂肪厚が異常に多い被験者や、細身で体幹部が細い被験者等では、体幹部に配置する電極相互の距離マージンにかなりの差が出て来たり、場合によっては、十分な信頼性が確保出来なかったりと言った問題が残されている。このような問題を解決するには、基本的には、皮下脂肪組織層の影響を最小限にするために、電流印加電極から十分距離をあけて電圧計測電極を配置することであるが、それ以外の手段としては、電流印加電極の体幹部への接触面積を広く確保することで、電流印加電極直下の広がり抵抗領域の影響を大幅に軽減できることになる。しかしながら、太身でウエスト周囲長が大きい人以外に、細身でウエスト周囲長が小さい被験者では、電極が大き過ぎて、正常な計測条件を確保できなくなる場合が発生しまう。
【００１３】
そこで、本発明者等は、体幹部内臓・皮下脂肪組織測定において、体幹部上に配置する電流印加電極の面積を最適とする方法を考え、より簡便に自動的に最適電極面積を与えることのできる方法を考えた。
【００１４】
本発明の基本的原理は、体幹部に配置する電流印加電極を、マルチ（アレーおよびマトリクス）電極とし、これら電極を制御することで、電流印加電極面積を測定対象者のコンディションに合わせて増減可能とすることで、安定な測定感度水準を確保することである。
【課題を解決するための手段】
【００１５】
本発明の一つの観点によれば、体幹部に電流を流すため電流印加電極対に電流を印加し、電圧計測電極対に生じた電位差を測定することにより、体幹の内臓脂肪組織情報、及び／又は、皮下脂肪組織層情報を求める方法であって、前記電流印加電極対のうちの少なくとも一方の電流印加電極として複数の電極部からなるマルチ電極を体幹部に接触させ、前記電流印加電極対のうちの他方の電流印加電極を前記一方の電流印加電極から離れた位置に配置し、前記複数の電極部を順次電気的につなげていくように前記マルチ電極を切換えながら、前記他方の電流印加電極との間に電流を印加し、前記電圧計測電極対で電位差またはインピーダンスを測定し、測定した電位差またはインピーダンスを示す値の変化から、前記マルチ電極の最適電極面積となる電極配置を決定し、決定した最適電極面積配置の前記マルチ電極と前記他方の電流印加電極との間に電流を印加したとき、前記電圧計測電極対で測定した電位差またはインピーダンスから、体幹部の内臓脂肪組織情報、及び／又は、皮下脂肪組織層情報を求めることを特徴とする体幹部内臓・皮下脂肪測定方法が提供される。
【００１６】
本発明の一つの実施の形態によれば、前記マルチ電極の切換えの方向は、対応する電圧計測電極の配置側とは反対の方向である。
【００１７】
本発明の別の実施の形態によれば、前記マルチ電極は、複数の細長い電極部が隣接してアレー状に並んだアレー電極である。
【００１８】
本発明のさらに別の実施の形態によれば、前記アレー電極は、固定分電極部と複数の可変分マルチ細分化電極部とからなる。
【００１９】
本発明のさらに別の実施の形態によれば、前記可変分マルチ細分化電極部のサイズはすべて等しく、前記固定分電極部のサイズは、前記可変分マルチ細分化電極部のサイズより大きい。
【００２０】
本発明のさらに別の実施の形態によれば、前記マルチ電極は、複数の小さい電極部が縦横にマトリクス状に並んだマトリックス電極である。
【００２１】
本発明のさらに別の実施の形態によれば、前記電流印加電極対の各電流印加電極として複数の電極部からなるマルチ電極を体幹部に互いに離れた位置に接触させ、前記電圧計測電極対の各電圧計測電極を前記各マルチ電極の近傍にそれぞれ対応させて配置し、前記マルチ電極の最適電極面積の決定は、各マルチ電極に対して個別に行う。
【００２２】
本発明のさらに別の実施の形態によれば、前記電圧計測電極対の各電圧計測電極を、前記マルチ電極と前記他方の電流印加電極から十分離れた位置に配置し、前記マルチ電極の切換えに伴う前記体幹部のインピーダンスを示す値の変化から、前記マルチ電極の最適電極面積配置を決定し、体幹部内臓脂肪組織情報を得る。
【００２３】
本発明のさらに別の実施の形態によれば、前記他方の電流印加電極と前記各電圧計測電極を体幹部から突出した部位に配置する。
【００２４】
本発明のさらに別の実施の形態によれば、前記電圧計測電極対の一方の電圧計測電極を、体幹部に接触させた前記マルチ電極に近接して配置し、他方の電圧計測電極を前記マルチ電極と他の電流印加電極から十分離して配置し、前記マルチ電極の切換えに伴う前記体幹部のインピーダンスを示す値の変化から、前記マルチ電極の最適電極面積配置を決定し、体幹部皮下脂肪組織情報を得る。
【００２５】
本発明のさらに別の実施の形態によれば、前記他方の電流印加電極と前記他方の電圧計測電極を体幹から突出した部位に配置する。
【００２６】
本発明のさらに別の実施の形態によれば、前記マルチ電極の切換えに伴う前記測定した電位差またはインピーダンスの変化が所定の値以下に収束するとき、前記最適電極面積配置であると判定する。
【００２７】
本発明のさらに別の実施の形態によれば、前記最適電極面積配置の判定が終了したとき、そのことを表示部に表示して報知する。
【００２８】
本発明のさらに別の実施の形態によれば、前記最適電極面積配置の判定が終了したとき、そのことをブザーで報知する。
【００２９】
本発明の別の観点によれば、体幹部に電流を印加するための電流印加電極対と、前記体幹部に生じた電位差を測定するための電圧計測電極対とを備え、前記電圧計測電極対に生じた電位差を測定することにより、前記体幹部の内臓脂肪組織情報、及び／又は、皮下脂肪組織層情報を求める装置であって、前記電流印加電極対のうちの少なくとも一方の電流印加電極は、複数の電極部からなるマルチ電極であり、前記マルチ電極の複数の電極部を順次電気的につなげていくように前記マルチ電極を切換え、前記電流印加電極対のうちの他方の電流印加電極との間に電流を印加できるようにする電極切換部と、前記電圧計測電極対で測定された電位差またはインピーダンスを示す値の変化に基いて前記マルチ電極の最適電極面積配置を決定する最適電極面積配置判定手段と、前記決定した最適電極面積配置の前記マルチ電極と前記他方の電流印加電極との間に電流を印加したとき、前記電圧計測電極対で測定した電位差またはインピーダンスに基いて体幹部の内臓脂肪組織情報、及び／又は、皮下脂肪組織層情報を求める手段とを備えることを特徴とする体幹部内臓・皮下脂肪測定装置が提供される。
【００３０】
本発明の一つの実施の形態によれば、前記電極切換部は、前記マルチ電極の切換えの方向を、対応する電圧計測電極の配置側とは反対の方向とする。
【００３１】
本発明の別の実施の形態によれば、前記マルチ電極は、複数の細長い電極部が隣接してアレー状に並んだアレー電極である。
【００３２】
本発明のさらに別の実施の形態によれば、前記アレー電極は、固定分電極部と複数の可変分マルチ細分化電極部とからなる。
【００３３】
本発明のさらに別の実施の形態によれば、前記可変分マルチ細分化電極部のサイズはすべて等しく、前記固定分電極部のサイズは、前記可変分マルチ細分化電極部のサイズより大きい。
【００３４】
本発明のさらに別の実施の形態によれば、前記マルチ電極は、複数の小さい電極部が縦横にマトリクス状に並んだマトリックス電極である。
【００３５】
本発明のさらに別の実施の形態によれば、前記電流印加電極対の各電流印加電極は、複数の電極部からなるマルチ電極であり、電極切換部は、各マルチ電極の切換えを個別に行え、前記最適電極面積配置判定手段は、前記マルチ電極の最適電極面積の決定を、各マルチ電極に対して個別に行える。
【００３６】
本発明のさらに別の実施の形態によれば、前記最適電極面積配置判定手段は、前記マルチ電極の切換えに伴う前記測定した電位差またはインピーダンスの変化が所定の値以下に収束するとき、前記最適電極面積配置であると判定する。
【００３７】
本発明のさらに別の実施の形態によれば、前記最適電極面積配置判定手段は、前記最適電極面積配置の判定が終了したとき、そのことを表示部に表示して報知する。
【００３８】
本発明のさらに別の実施の形態によれば、前記最適電極面積配置判定手段は、前記最適電極面積配置の判定が終了したとき、そのことを報知手段で報知する。
【００３９】
本発明のさらに別の観点によれば、体幹部に電流を印加するための電流印加電極対と、前記体幹部に生じた電位差を測定するための電圧計測電極対とを備え、前記電圧計測電極対に生じた電位差を測定することにより前記体幹部の内臓脂肪組織情報、及び／又は、皮下脂肪組織層情報を求める装置であって、本体部と、前記本体部と電線で接続された一対のグリップ電極部とを備え、少なくとも一方のグリップ電極部の体幹部に接触させるための接触面は、電流印加電極である複数の電極部からなるマルチ電極を備え、各グリップ電極部の手で把持するためのグリップ部は、電流印加電極と電圧計測電極のうち少なくとも一方を備え、前記本体部は、前記マルチ電極の複数の電極部を順次電気的につなげていくように前記マルチ電極を切換えて他の電流印加電極との間に電流を印加できるようにする電極切換部と、前記電圧計測電極対で測定された電位差またはインピーダンスを示す値の変化に基いて、前記マルチ電極の最適電極面積配置を決定する最適電極面積配置判定手段とを備え、前記決定した最適電極面積配置の前記マルチ電極と前記他方の電流印加電極との間に電流を印加したとき、前記電圧計測電極対で測定した電位差またはインピーダンスに基いて体幹部の内臓脂肪組織情報、及び／又は、皮下脂肪組織層情報を求める手段とを備えることを特徴とする体幹部内臓・皮下脂肪測定装置が提供される。
【００４０】
本発明の一つの実施の形態によれば、前記本体部の各々の側にグリップ電極部が屈曲可能に接続され、前記本体部と前記一対のグリップ電極部とが一体となっている。
【００４１】
本発明の別の実施の形態によれば、前記本体部は体重計形であり、前記本体部上面の両足を乗せる部分には、左足用の電流印加電極と電圧計測電極、右足用の電流印加電極と電圧計測電極とが設けられている。
【００４２】
本発明のさらに別の実施の形態によれば、前記電極切換部は、前記マルチ電極の切換えの方向を、対応する電圧計測電極の配置側とは反対の方向とする。
【００４３】
本発明のさらに別の実施の形態によれば、前記マルチ電極は、複数の細長い電極部が隣接してアレー状に並んだアレー電極である。
【００４４】
本発明のさらに別の実施の形態によれば、前記アレー電極は、固定分電極部と複数の可変分マルチ細分化電極部とからなる。
【００４５】
本発明のさらに別の実施の形態によれば、前記可変分マルチ細分化電極部のサイズはすべて等しく、前記固定分電極部のサイズは、前記可変分マルチ細分化電極部のサイズより大きい。
【００４６】
本発明のさらに別の実施の形態によれば、前記マルチ電極は、複数の小さい電極部が縦横にマトリクス状に並んだマトリクス電極である。
【００４７】
本発明のさらに別の実施の形態によれば、各グリップ電極部の手で把持するためのグリップ部は、電流印加電極と電圧計測電極とを備える。
【００４８】
本発明のさらに別の実施の形態によれば、前記グリップ電極部に設けられた前記マルチ電極に近接して、電圧計測電極が設けられている。
【発明の効果】
【００４９】
本発明によれば、内臓器組織及び内臓脂肪組織からなる複合組織層への通電量及び感度を引き上げて、体幹部内臓脂肪組織を精度よく測定できると同時に皮下脂肪組織層も測定できる。また、ノイズとなる骨格筋組織層による電位の乱れによるＮ成分も、筋腹支配域を外す位置で電圧計測電極を配置することでＳ／Ｎ特性を改善できる。
【００５０】
また、麻痺患者及び介護等によりベッド上で寝たきりの被験者においても、測定部を背中部を除く腹部前面とすることで、被験者が容易に測定を可能と出来る。更に、腹部への電極装着により、測定部位を被験者が意識できることによって、意識的拘束による測定精度の向上及びモチベ−ションの確保に有益となる。
【００５１】
更に、内臓器組織付近に付着する内臓脂肪組織の蓄積具合を、簡単に精度良く測定することができる。
【００５２】
更に、本発明によれば、小型で簡便な装置にて体幹部内臓脂肪組織や皮下脂肪組織層を精度よく測定できるので、家庭用として最適なものとすることもできる。しかも、測定前の腹部コンディションチェック、すなわち、内臓器組織等での炎症や病的な体液分布異常の早期チェック等も可能で、それに応じた適切な健康指針アドバイスも与えることができる。したがって、ユーザにとっては、食事および運動による日々のダイエットを適正に行い且つそのためのモチベーションを維持し、継続可能な健康の維持増進の自己管理をする上で役立つ諸情報を簡便な仕方で得ることができ、非常に有用なものとなる。
【００５３】
更に、本発明によれば、電流印加電極の面積を最適なものとして、測定することができるので、測定の信頼性が向上し、且つ簡単に測定することができる。また、誰が測定しても、最適電極面積にて測定することができる。このため、測定対象者の身体サイズの極端な違いとか、皮下脂肪組織の異常に沈着した被験者とか、標準的な体形から極端にずれた被験者でも、同様の感度で測定可能とすることができる。
【発明を実施するための最良の形態】
【００５４】
本発明の実施の形態および実施例について詳細に説明する前に、体幹部の内臓脂肪組織量の測定原理について説明する。本発明は、基本的には、上肢(腕)、下肢(脚)、体幹(体幹中部)等の四肢誘導法で得られるセグメント毎の生体電気インピーダンス情報と身体特定化情報を用いて、体幹腹部(中部)の内臓脂肪組織情報(横断面積量、体積量または重量)、体幹部内臓脂肪組織量と皮下脂肪組織量との比(Ｖ／Ｓ)、および皮下脂肪組織量と内臓脂肪組織量の合計脂肪組織量（体幹腹部脂肪組織量）を推定可能とすることにある。
【００５５】
本発明は、このため次のような手法を駆使する。
（１）体幹部の生体電気インピーダンス情報に含まれる組織情報を骨格筋組織層と内臓器組織と内臓脂肪組織で直並列の等価回路モデルで仮定すること。ここでは内臓器組織と内臓脂肪組織を直列に考える（したがって、内臓脂肪組織の大小により通電量の変化を期待できる）。
【００５６】
（２）腹囲長が身体特定化情報として確保できる場合は、皮下脂肪組織量も、等価回路モデルに含めた、高精度モデルとして、皮下脂肪組織層と骨格筋組織層と内臓器組織と内臓脂肪組織で直並列の等価回路モデルで仮定すること。
【００５７】
（３）皮下脂肪組織量推定は、身体特定化情報のうち腹囲長を主体的な説明変数とした重回帰式で構成されること。さらには、腹囲長の二乗を主体的説明変数と置くこと。
【００５８】
（４）内臓器組織情報の確定は、身体特定化情報のうち、身長情報が主体的な説明変数とした重回帰式で構成し、内臓脂肪組織情報推定のための未確定情報の確定に用いる。
【００５９】
（５）各組織を定量化するための重回帰分析（検量線作成手法）に用いる組織の基準測定は、臍位でのＸ線ＣＴ断層画像からの組織横断面積（ＣＳＡ）やＭＲＩ法によるＣＳＡ及び体幹部全体でのＤＥＸＡ法、ＭＲＩ法（長さ方向へ、スライス毎の積分処理）を用いた組織体積量，重量（体積量から重量への変換は、先行研究による組織密度情報より算出可能）で実現できる。ＤＥＸＡ法では、腹部内臓脂肪組織と皮下脂肪組織の合計の総脂肪組織情報を基準測定できる。
【００６０】
（６）上記のような手法を用いて内臓脂肪組織の情報を高精度に捕捉可能とするためには、呼吸等による体幹部の計測インピーダンス情報の変動を一定条件値に置き換える手立てが必要となり、インピーダンス計測サンプリング周期を一般的な呼吸周期の１／２以内とし、呼吸変化を時系列的にモニタリングして、呼吸周期及び呼吸周期毎の最大値と最小値を呼吸周期毎に判別し、安静呼吸の中央値を補足可能とすること。
【００６１】
（７）さらに、測定前の飲食及び膀胱尿の貯留などによる悪影響の事前チェックも、計測インピーダンス情報より可能とする。一般に、体幹部のインピーダンス値は、健康な一般的な被験者集団では、骨格筋組織層の情報が支配的に反映される。また、体幹部の骨格筋組織層の情報は、測定値としては非常に小さく個々人毎で大きな違いが認められない。理由は、地球重力下で自重を支えて発達する抗重力筋との相関の高いデザインとなるため、特別に寝たきりで重力の影響を受けない被験者とか、自重の数倍のストレスが加わる種目のアスリートなど、特殊な集団以外ではほぼ身体サイズで決定されてしまうためである。ここで、骨格筋組織層及び前記呼吸変動以外で体幹部のインピーダンスに影響が大きいのは、飲食及び膀胱尿の貯留などによる悪影響である。よって、集団デ−タとして体幹部のインピーダンス値を収集し、平均値[mean]と偏差[SD]で見ると、飲食及び膀胱尿の貯留などによる影響は、２ＳＤを超える範囲にあることがわかった。ただ、ある程度のアスリート等の準一般的集団まで踏まえると、３ＳＤをクライテリアとすることで、本影響のスクリーニングを可能と出来る。
【００６２】
次に、前述したような手法に基づく本発明の測定原理につき、順を追って詳述していく。
【００６３】
１．体幹部構成組織の電気的等価回路モデル化
（１）体幹部は、主として、皮下脂肪組織層と、骨格筋組織層(腹筋群,背筋群)と、内臓器組織とその隙間に付着する内臓脂肪組織から成ると考えることが出来る。骨組織を構成組織として挙げていないのは、骨組織は骨格筋組織層と量的相関が非常に高く、一体の組織体として考えられるからである。体積抵抗率も、生体内では骨髄組織なども含めることでかなり導電性が良く、骨格筋組織層や内臓器組織に近い特性を有するものと考えられる。よって、この４組織を電気的な等価回路モデルで表すと、内臓器組織と内臓脂肪組織を直列に構成し、その直列の合成組織に対して、皮下脂肪組織層および骨格筋組織層がそれぞれ並列に構成される。この等価回路モデルについては、後述する実施例についての説明において詳述する。このモデルによると、体幹部の長さ方向への通電に対しては、骨格筋組織層に支配的に電流が流れる。内臓脂肪組織は、内臓器組織の周辺の隙間に付着することから、内臓脂肪組織が無い時、または少ない時、内臓器組織が骨格筋組織層に近い導電性を示すことから、内臓器組織側にも電流が通電されることになる。また、内臓脂肪組織が多くなるほど、内臓器組織と内臓脂肪組織の複合体としての複合組織層への通電量が低下してゆくことになる。体幹部の計測インピーダンスと、それを構成する４組織を等価回路モデルで表した時のモデル式は、下記の様に表現できる。
Ztm = ZFS／／ZMM／／(ZVM+ZFV) ・・・式１
ここで、
体幹部全体のインピーダンス:Ztm
皮下脂肪組織層のインピーダンス:ZFS・・・体積抵抗率は、大きい。
骨格筋組織層のインピーダンス:ZMM・・・体積抵抗率は、小さい。
内臓器組織のインピーダンス:ZVM・・・骨格筋組織層に近い体積抵抗率と考えられている。
内臓脂肪組織のインピーダンス:ZFV・・・体積抵抗率は、皮下脂肪組織層と同等かそれよりも、やや小さ目と考えられる。脂肪の合成分解が皮下脂肪組織層に比べて速いことから、組織内血管及び血液量が多いものと考えられる。
【００６４】
組織間の電気的特性は、インピーダンスよりはむしろ体積抵抗率ρ［Ωｍ］で決まる。
上の関係から、各組織の電気的特性値は一般に以下の関係で説明される。
ρMM＜＜ρ（VM＋FV）＜ρFS
ρVM＜＜ρFV
ρMM＝ρMV、若しくは、ρMM＜ρMV
ρFV＝ρFS、若しくは、ρFV＜FS
ここで、
皮下脂肪組織層の体積抵抗率:ρFS
骨格筋組織層の内側の内臓器組織と内臓脂肪組織の複合組織層の体積抵抗率:ρ（VM＋FV）
骨格筋組織層の体積抵抗率:ρMM
よって、式１との関連により、各組織間の電気的特性の比較関係は、
ZFS ＞＞  (ZVM+ZFV)   ＞＞ ZMM  ・・・式２
となる。
【００６５】
２．体幹部骨格筋組織横断面積量（AMM）と体幹部骨格筋組織層インピーダンス（ZMM）の推定
（２）内臓脂肪組織量は横断面積量や体積量で表すことができる。横断面積量の場合は、臍囲周での計測においては、ＣＴ（Ｘ線−ＣＴ、ＭＲＩ）法による横断面積量が一般的な計測基準と考えられる。一方、体積量の場合は、ＣＴ法によるスライスによる横断面積量を長さ方向に複数のスライス情報で積分することで求めることができる。骨格筋組織量（骨格筋量）は、これら横断面積量と体積量の双方に高い相関を有すると考えられる。ここでは横断面積量で考えることにする。骨格筋組織層の横断面積量（AMM）は、身体特定化情報でおおよそ推定することができる。なぜなら、身体の骨格筋組織層の発達デザインは、地球重力下で自重を支えるための発達、適応でほとんど決まってしまうからである。よって、アスリートや麻痺看者や介護者などの重力非適応者を除けば、身体特定化情報で推定可能となる。この推定は、身長Ｈ、体重Ｗ、年齢Ａｇｅを以下の式に代入することによって行う。
ＡＭＭ=a＊H＋b＊W＋ｃ＊Age＋d・・・式３
ここで、a、b、c、dは、定数である。
（３）体幹部骨格筋組織層インピーダンス（ZMM）も身体特定化情報によって推定できる。便宜上、ここでは上で求めた横断面積量（AMM）を利用する。この推定は以下の式を用いて行うことができる。
ZMM=a０＊H/AMM＋b０・・・式４
ここで、a０、b０は、定数である。
【００６６】
３．内臓脂肪組織インピーダンス（ZFV）及び内臓脂肪組織量（AFV）の推定
式１、２の関係式から、次の様な二つのアプローチ案によって、内臓脂肪組織情報を推測可能とする手法が考えられる。
（４）アプローチ１
皮下脂肪組織層は、他の構成組織と比較する中で体積抵抗率が高いことから体幹部の等価回路から見て、省略して考える。つまり、体幹部で計測されるインピーダンス値には、体幹部の皮下脂肪組織層を除いた内臓脂肪組織を含む除脂肪組織の情報が計測されているものと考えることが出来る。よって、この関係式は、次の様に表現できる。
Ztm ≒ ZMM／／(ZVM+ZFV) ・・・式５
式５を変形すると、
1／Ztm ≒ 1／ZMM + 1／(ZVM+ZFV) ・・・式６
この式中の骨格筋組織層のインピーダンスZMMおよび内臓器組織のインピーダンスZVMを下記で記述される手段で顕在化することで、内臓脂肪組織のインピーダンスZFVを算出可能となる。そして、この内臓脂肪組織のインピーダンス情報より、内臓脂肪組織量を推定可能と出来る。式６からZFVを誘導すると、次の式７となり、内臓脂肪組織の情報を有するインピーダンス情報を求めることができる。
ZFV＝ 1／[ 1／Ztm−1／ZMM] − ZVM・・・式７
【００６７】
（５）アプローチ２
前記アプローチ１では皮下脂肪組織層を省略して考えたが、皮下脂肪組織層を大量に有する被験者に対しては誤差要因となりえるため、式１のままで進める方法である。
この式中の骨格筋組織層のインピーダンスZMMおよび内臓器組織のインピーダンスZVMは、前記手法と同様とし、皮下脂肪組織層のインピーダンスZFSに対して、インピーダンス情報は他の組織と同様の考え方で皮下脂肪組織量と有用な関係がある。ここで、皮下脂肪組織量は、その組織表面での周囲長、つまり、腹囲長との相関が非常に高い関係があることが一般に報告されている(特に皮下脂肪組織層が多い被験者に対して、または、皮下脂肪組織層を除く除脂肪組織に比較して多い場合)ことから、皮下脂肪組織層は腹囲長情報から推定可能となる。よって、皮下脂肪組織層のインピーダンスは、腹囲長の情報から推測可能と出来る。以下、前記アプローチと同様の手法で内臓脂肪組織のインピーダンスZFVを算出可能となる。そして、この内臓脂肪組織のインピーダンス情報より、内臓脂肪組織量を推定可能と出来る。
式１を変形すると、
1／Ztm ＝ 1／ZFS + 1／ZMM + 1／(ZVM+ZFV) ・・・式８
ZFV＝ 1／[ 1／Ztm−1／ZMM−1／ZFS] − ZVM・・・式９
【００６８】
（６）内臓脂肪組織量（AFV）は、ここでは内臓脂肪組織横断面積として取り扱う。内臓脂肪組織組織量（AFV）は、式１０において、上記インピーダンス情報と身長情報から算出することができ、
AFV＝aa＊H/ZFV＋bb・・・式１０
ここで、aa、bbは定数である。
【００６９】
４．内臓器組織量[AVM]及び内臓器組織インピーダンス[ZVM]の推定
（７）体幹部の内臓器組織量[VM]は、身長、体重、性別、年齢等の身体(個人)特定化情報から推定することが出来る。説明変数の中で、身長項の影響が大きい。
内臓器組織量[AVM] = a1＊身長[H]+ b1＊体重[W] + c1＊年齢[Age] + d1・・・式１１
ここで、a1、b1、c1、d1は、男女で別の値を与える定数である。
なお、本検量線(回帰式)に用いる内臓器組織量VMの基準量の計測は、ＭＲＩ法やＸ線ＣТ法により得られるスライス毎のＣＳＡ(組織横断面積)を長さ方向に積分して求めた組織体積、または、臍位等の１スライスからのCSAとする。組織体積は、先行研究論文等で公知の組織密度情報から重量へ変換することで組織量とすることが出来る。
【００７０】
（８）次に、内臓器組織のインピーダンスZVMを推定する。
内臓器組織のインピーダンス[ZVM]は、身長、体重、性別、年齢等の身体(個人)特定化情報から推定することが出来る。説明変数の中で、身長項の影響が大きい。便宜上、ここでは上で求めた内臓器組織量[AVM]を利用する。この推定は、以下の式を用いて行うことができる。
ZVM=a２＊H/AVM＋b２・・・式１２
ここで、a２、b２は、定数である。
【００７１】
５．皮下脂肪組織量[AFS]の推定
（９）体幹部の皮下脂肪組織量[AFS]は、腹囲長の二乗[Lw]2から推定することが出来る。さらに、他の身体特定化情報を説明変数として付加して重回帰式とすることで精度向上が期待できる。
男性用: 皮下脂肪組織量[AFS] = a10＊腹囲長[Lw]2+b10＊身長[H]+ c10＊体重[W]
+ d10＊年齢[Age] + e10・・・式１３
女性用: 皮下脂肪組織量[AFS] = a11＊腹囲長[Lw]2+b11＊身長[H]+ c11＊体重[W]
+ d11＊年齢[Age] + e11・・・式１４
ここで、a10、a11、b10、b11、c10、c11、d10、d11、e10、e11は、回帰係数で定数である。
なお、本検量線(回帰式)に用いる皮下脂肪組織量FSの基準量の計測は、ＭＲＩ法やＸ線ＣТ法により得られるスライス毎のＣＳＡ(組織横断面積)を長さ方向に積分して求めた組織体積、または、臍位等の１スライスからのＣＳＡとする。組織体積は、先行研究論文等で公知の組織密度情報から重量へ変換することで組織量とすることが出来る。
【００７２】
６．体幹部内臓脂肪／皮下脂肪比[V／S]の推定
（10）内臓脂肪／皮下脂肪比[V／S]は、式１３、１４からの皮下脂肪組織量[AFS]と式１０からの内臓脂肪組織量[AFV]から求めることが出来る。
V／S=AFV／AFS・・・式１５
【００７３】
７．体幹部(中部)のインピーダンスによる内臓器組織異常判定の考え方
（11）内臓脂肪組織量推定に必要な体幹部のインピーダンスZtmは、呼吸及び飲食等により変動が大きな部位でもあることから、安定性及び信頼性の高い情報の計測が必要となる。よって、次の様な処理を加えることで、信頼性の高い体幹部のインピーダンス情報を確保出来る。また、一部体幹部の体液分布の乱れに関連する情報としての視点から、体幹部の組織異常の判定も可能と出来る。
【００７４】
（12）呼吸による変動の影響除去処理
（ａ）一般的な呼吸周期時間の１／２より短いサンプリング周期で、体幹部のインピーダンスを測定する。
（ｂ）サンプリング毎の測定デ−タに対して移動平均等によるスムージング処理を施す。
（ｃ）処理後の時系列データより、呼吸の周期性と周期毎の最大値と最小値を検出する。
（ｄ）毎周期毎の最大値と最小値を各々別個に平均処理する。
（ｅ）最大値と最小値の平均処理後の値を平均して、呼吸の中央値を算出する。
（ｆ）呼吸周期毎の呼吸の中央値が規定回数規定以内の安定域に入った時点で、呼吸中央値確定と判断し、確定した中央値のインピーダンス値を体幹部のインピーダンス値として登録し、測定を完了とする。
【００７５】
（13）飲食及び膀胱等への水分貯留(尿等)による異常値判定処理
（ａ）体幹部のインピーダンスは、26.7±4.8Ω(mean±SD)が集団の一般的な値となる。
（ｂ）反面、便秘及び膀胱尿の貯留や胃での飲食物の充満時の値は、mean±3SDの範囲を超える。
（ｃ）よって、３ＳＤを超える測定値が得られる場合には、飲食及び膀胱尿等の影響の可能性を被験者へ報知し、最善の環境で測定に望んで貰う様促す。ただし、実際にこれらの影響なしに骨格筋組織層の発達及び内臓器組織が標準サイズとは異なる被験者においては、測定を継続出来る様に進める。
（ｄ）さらに、判定感度を上げる方法としては、性別、体重、身長別で規定値を細分化する。又は、体重で割るか、身長で割って単位当たりの値として規定値を規定する。
【００７６】
次に、本発明の最適電極面積にて測定を行う特徴について説明する。
(1)  電流印加電極として、マルチ（アレーおよびマトリクス）電極を設け、マルチ電極を順次つなげていくことにより、測定した測定情報の中から、最適面積の電極での測定情報を測定結果として選択することで、更に簡便に正確に測定することができる。すなわち、マルチ電極を制御することで、電流電極面積を測定対象者のコンディションに合わせて、増減可能とすることで、安定な測定感度水準を確保可能と出来る。
【００７７】
(2)  体幹腹部に配置する電流印加電極をマルチ電極とし、他の電圧計測電極対等は、個々単一独立で一定計測条件下に配置されるものとする。
【００７８】
(3)  体幹部に配置される電流印加電極が複数存在する場合、マルチ電極化するのは何れか一箇所とするか、マルチ電極による計測を体幹腹部左右部位で独立に実施する場合に可能とする。
【００７９】
(4)  マルチ電流印加電極のドライブ数を順次増やして行く中で、電流印加電極直下の広がり抵抗の影響による電圧計測電極間の電位変化が規定値より小さくなった時点を最適電流印加電極面積条件と判定し、その条件下で正規の体幹部インピーダンス測定を実施する。
【００８０】
(5)  前記判定条件として採用する電位変化は、電流印加電極ドライブ電極面積で割った、または、ドライブ電極数で割った単位電極面積当りの電位変化相当情報とする。
【００８１】
(6)  この時、マルチ電極を構成する細分化電極は、すべて同じサイズとする。
【００８２】
(7)  または、可変しない固定分の初期電極サイズと可変するマルチ細分化電極とに分けた時、固定分は、マルチ分より大きなサイズとして、皮膚との接触安全性を保証出来る（面積を小さくし過ぎると電流密度が上がり過ぎて火傷等の危険性を有するため、マージンを見た電極面積の設計が必要になる）最小限のサイズを確保するものとする。可変分は、検出および制御能力等で決まるものとする。
【００８３】
(8)  マルチ電極のドライブ増加方向は、本来の電流印加電極と対を成す電圧計測電極との距離を一定に固定する必要性から、電流印加電極側から見て電圧計測電極配置側と１８０度対向する側方向とする。
【００８４】
次に、前述したような本発明の測定原理に基づいた、最適電極面積にて、体幹部内臓脂肪組織、及び／又は、皮下脂肪組織層を測定するための本発明の体幹部内臓・皮下脂肪測定方法及び装置の実施形態を説明する。
【００８５】
図１は、本発明の第１の実施形態による体幹部内臓・皮下脂肪測定装置の概略斜視図である。図２は、図１の体幹部内臓・皮下脂肪測定装置のグリップ電極を把持して、接触面の電極を体幹腹部に押し当てている状態を示す概略図である。図３は、体幹部内臓・皮下脂肪測定装置に含まれる本体部のブロック図である。
【００８６】
図１に示すように、体幹部内臓・皮下脂肪測定装置１は、本体部１１と、電線１２０Ｌ、１２０Ｒを介して本体部１１に接続された２つのグリップ電極部１３０、１４０を備える。グリップ電極部１３０、１４０をそれぞれ左右の手に持って、それらを被験者の測定部位、例えば腹部に押し当てて測定する。
【００８７】
本体部１１の前面には、操作・入力部５１と表示部５２を有する操作表示パネル５と、報知ブザー２２とが、設けられている。報知ブザー２２は、例えば測定が終了したときブザー音を発生する。
【００８８】
操作・入力部５１は、身長、体重を含む身体特定情報の入力に使用することができ、操作表示パネル５の表示部５２には、各種測定結果、アドバイス情報等が表示される。この操作表示パネル５は、操作・入力部５１と表示部５２とが一体となったタッチパネル式の液晶表示器として形成されてもよい。表示部５２には、測定したインピーダンスを表示するようにしても良い。
【００８９】
図３に示すように、本体部１１の内部には、演算・制御部３０、電源部１８、記憶部（メモリ）４、印刷部３１等が設けられている。演算・制御部３０は、操作・入力部５１から入力された身体目方特定情報（体重等）、計測したインピーダンス、前述した式等に基づいて、体幹部内臓脂肪／皮下脂肪比等を演算したり、呼吸による変動の影響除去処理や、内臓器組織異常判定等の処理を行ったり、その他、各種の入出力、測定、演算等を行う。
【００９０】
電源部１８は、本装置の電気系統各部に電力を供給する。
記憶部４は、身長、体幹部長等の身体特定化情報や、前述した式等を記憶する他、後述するような健康指針アドバイスのための適当なメッセージ等も記憶する。
【００９１】
印刷部３１は、表示部５２に表示される各種結果、アドバイス情報等を印刷する。
【００９２】
本体部１１のインピーダンス測定部は、被験者の測定部位に電流を印加するための電流印加電極１０ａと、電流印加のための複数のアレー電極Ａ１〜ｎ、被験者の測定部位における電位差を計測するための複数の電圧計測電極１１ａ〜ｎ、電流印加電極１０ａとアレー電極Ａ１〜ｎの間に電流を供給する電流源１２、使用態様に応じて所定の電圧計測電極１１ａ〜ｎを選択するための電圧計測電極選択部２０、アレー電極Ａ１〜ｎを切換えるための切換部２１Ｂを含む。また、測定された電位差を増幅する差動増幅器２３、フィルタリングのためのバンドパスフィルタ２４、検波部２５、増幅器２６、及び、Ａ／Ｄ変換器２７を含む。尚、電圧計測電極１１ａ〜ｎの数は、使用態様に応じて決定されるものであり、特に限定されるものではない。アレー電極Ａ１〜ｎの数も特に限定されるものではない。
【００９３】
図１に示した実施例では、マルチ電極を構成する各アレー電極Ａ１〜ｎ、すなわち、各細分化電極Ａ１〜ｎは、すべて同じサイズとしている。しかし、本発明は、これに限定されるのでなく、前述したように、電流印加電極は、可変しない固定分の初期電極サイズと可変するマルチ細分化電極とに分けることもでき、この場合においては、図１で示すアレー電極Ａ１を固定分の初期電極サイズとし、アレー電極Ａ２〜ｎを可変するマルチ細分化電極とし、アレー電極Ａ１を、アレー電極Ａ２〜ｎより大きなサイズとしておく。
【００９４】
再度図１を参照すると、グリップ電極部１３０の体幹に接触させるための接触面には、上段に、電流印加電極である複数のアレー電極Ａ１〜ｎが設けられ、下段に、電圧計測電極１１ｅが設けられている。
グリップ電極部１４０の体幹部に接触させるための接触面には、上段に、電流印加電極である複数のアレー電極Ａ’１〜ｎが設けられ、下段に、電圧計測電極１１ｆが設けられている。
グリップ電極部１３０の手で把持するためのグリップ部には、電流印加電極１０ｃと電圧計測電極１１ｃが設けられている。又は、電流印加電極１０ｃ、電圧計測電極１１ｃのうち一方を設けることもできる。
グリップ電極部１４０の手で把持するためのグリップ部には、電流印加電極１０ｄと電圧計測電極１１ｄが設けられている。又は、電流印加電極１０ｄ、電圧計測電極１１ｄのうち一方を設けることもできる。
【００９５】
図２は、図１の体幹部内臓・皮下脂肪測定装置のグリップ電極部を把持して、接触面の電極を腹部の腱膜部付近に押し当てて、測定を実施している状態を示す。
第１の実施形態では、アレー電極Ａ１〜ｎ（又はＡ’１〜ｎ）を腱膜部付近に押し当てる。グリップ部の電流印加電極１０ｃ、１０ｄの何れかと、接触面のアレー電極Ａ１〜ｎ（又はＡ’１〜ｎ）の間に順に電流を流し、２つの電圧計測電極の間の電位差を検出し、腱膜部に配置したアレー電極のつながりを制御しながら、検出される電位差の変化分を測定していくことにより、最適の電極面積を決定する。次に、グリップ部の電流印加電極と最適電極面積での電流印加電極との間に電流を流し、電圧計測電極の間のインピーダンスを測定して、内臓脂肪組織情報を得ることができる。
電圧計測電極を任意に切換えて、インピーダンスを計測することができる。
【００９６】
また、第１の実施形態では、アレー電極Ａ’１〜ｎと電圧計測電極１１ｆとが近接しているので、皮下脂肪組織層情報を得るための測定を実施することができる。一方のグリップ電極部１４０の接触面にあるアレー電極Ａ’１〜ｎと電圧計測電極１１ｆとを腹部に押し当て、アレー電極Ａ’１〜ｎのつながりを制御して、グリップ部の電流印加電極１０ｃ、１０ｄの何れかとの間に電流を流し、電圧計測電極１１ｆと他の電圧計測電極の間の電位差を検出し、アレー電極Ａ’１〜ｎのつながりの中から皮下脂肪組織測定のために最適の電極面積を決定する。最適の電極面積を決定した後、最適面積の電極と、他の電流印加電極との間に電流を流し、電圧計測電極１１ｆと他の電圧計測電極の間の電位差を測定し、皮下脂肪組織層情報を得ることができる。
電流印加電極を任意に切換えて電流を印加し、電圧計測電極を任意に切換えて、インピーダンスを計測することができる。
【００９７】
図４は、体幹部内臓・皮下脂肪測定装置に含まれる本体部の別の実施形態のブロック図である。別の実施形態が第１の実施形態と異なる点は、アレー電極以外に、被験者の測定部位に電流を印加するための１つの電流印加電極１０ａだけではなく、ｎ個の電流印加電極１０ａ〜１０ｎが設けられ、また使用態様に応じて電流印加電極１０ａ〜１０ｎを選択するための電流印加電極選択部２１Ａを含むことである。
【００９８】
図５は、本発明の第２の実施形態による体幹部内臓・皮下脂肪測定装置の概略図である。第２の実施形態の体幹部内臓・皮下脂肪測定装置は、左右のグリップ電極部１３０、１４０が、本体部１１’と一体に接続されている。本体部１１’と左右のグリップ電極部１３０、１４０との間は、屈曲可能に接続されていて、測定に人体の腹部の曲面にフィットするようになっている。本体部１１’には、操作表示パネル５が設けられている。
各グリップ電極部１３０、１４０の体幹部に接触させるための接触面とグリップ部の電極配置は、第１の実施形態と同様である。即ち、グリップ電極部１３０の接触面には、上段に、電流印加電極である複数のアレー電極Ａ１〜ｎ、下段に、電圧計測電極（図示せず）が、設けてある。グリップ電極部１３０の手で把持するためのグリップ部には、電流印加電極１０ｃと、電圧計測電極１１ｃが設けられている。グリップ電極部１４０の接触面には、上段に、電流印加電極である複数のアレー電極Ａ’１〜ｎ、下段に、電圧計測電極（図示せず）が、設けてある。グリップ電極部１４０の手で把持するためのグリップ部には、電流印加電極１０ｄと、電圧計測電極１１ｄが設けられている。この第２の実施形態においても、マルチ電極を構成する各アレー電極Ａ１〜ｎ、すなわち、各細分化電極Ａ１〜ｎは、すべて同じサイズとしている。しかし、本発明は、これに限定されるのでなく、前述したように、電流印加電極は、可変しない固定分の初期電極サイズと可変するマルチ細分化電極とに分けることもでき、この場合においては、図５で示すアレー電極Ａ１を固定分の初期電極サイズとし、アレー電極Ａ２〜ｎを可変するマルチ細分化電極とし、アレー電極Ａ１を、アレー電極Ａ２〜ｎより大きなサイズとしておく。
【００９９】
図６（ａ）は、本発明の第３の実施形態による体幹部内臓・皮下脂肪測定装置の概略図である。第３の実施形態の体幹部内臓・皮下脂肪測定装置は、本体部１１と１つのグリップ電極部１３５とを備える。グリップ電極部１３５は、左右のグリップ電極部が一体となったものである。
グリップ電極部１３５の左手で把持するためのグリップ部には、電流印加電極１０ｃと電圧計測電極１１ｃが設けられている。又は、電流印加電極１０ｃ、電圧計測電極１１ｃのうち一方を設けることもできる。
グリップ電極部１３５の右手で把持するためのグリップ部には、電流印加電極１０ｄと電圧計測電極１１ｄが設けられている。又は、電流印加電極１０ｄ、電圧計測電極１１ｄのうち一方を設けることもできる。
グリップ電極部１３５の体幹に接触させるための接触面には、複数のアレー電極Ａ１〜ｎ（電流印加電極）と、電圧計測電極１１ｅとが設けられている。この第３の実施形態においても、マルチ電極を構成する各アレー電極Ａ１〜ｎ、すなわち、各細分化電極Ａ１〜ｎは、すべて同じサイズとしている。しかし、本発明は、これに限定されるのでなく、前述したように、電流印加電極は、可変しない固定分の初期電極サイズと可変するマルチ細分化電極とに分けることもでき、この場合においては、図６（ｂ）で示すアレー電極Ａ１を固定分の初期電極サイズとし、アレー電極Ａ２〜ｎを可変するマルチ細分化電極とし、アレー電極Ａ１を、アレー電極Ａ２〜ｎより大きなサイズとしておく。
【０１００】
図６（ｂ）は、第３の実施形態による体幹部内臓・皮下脂肪測定装置のグリップ電極部を把持して、接触面の電極を腹部の腱膜部付近に押し当てて、測定を実施している状態を示す。
【０１０１】
図７（ａ）は、本発明の第４の実施形態による体幹部内臓・皮下脂肪測定装置の概略図である。第４の実施形態では、体幹部内臓・皮下脂肪測定装置は体重計形の本体部１１と、引き出し可能なグリップ電極部１３０、１４０とが、それぞれ電線１２０Ｌ、１２０Ｒで、接続されている。
グリップ電極部１３０の左手で把持するためのグリップ部には、電流印加電極１０ｃと電圧計測電極１１ｃとが設けられている。又は、電流印加電極１０ｃ、電圧計測電極１１ｃのうち一方を設けることもできる。
グリップ電極部１４０の右手で把持するためのグリップ部には、電流印加電極１０ｄと電圧計測電極１１ｄが設けられている。又は、電流印加電極１０ｄ、電圧計測電極１１ｄのうち一方を設けることもできる。
図７（ｂ）に一方のグリップ電極部１４０の拡大図を示す。一方のグリップ電極部１４０の一端部には、体幹部に押し付け電流を印加するためのアレー電極Ａ１〜ｎが設けられている。
本体部１１の上面には、左足用の電流印加電極１０ａと、電圧計測電極１１ａ、右足用の電流印加電極１０ｂと、電流印加電極１１ｂとが設けられている。また、操作表示パネル５が設けられている。
【０１０２】
第４の実施形態では、まず、一方のグリップ電極部１４０の先端部のアレー電極Ａ１〜ｎを腹部に押し当てて、電流印加電極１０ａ〜ｄの何れかと、アレー電極Ａ１〜ｎを順次つなげてそれらの間に電流を印加し、２つの電圧計測電極間の電位差を検出し、つなげたアレー電極面積の中から最適の電極面積を決定する。決定した最適面積の電極と、他の電流印加電極との間に電流を印加し、内臓脂肪組織情報を得るための測定を実施する。この第４の実施形態においても、マルチ電極を構成する各アレー電極Ａ１〜ｎ、すなわち、各細分化電極Ａ１〜ｎは、すべて同じサイズとしている。しかし、本発明は、これに限定されるのでなく、前述したように、電流印加電極は、可変しない固定分の初期電極サイズと可変するマルチ細分化電極とに分けることもでき、この場合においては、図７（ｂ）で示すアレー電極Ａ１を固定分の初期電極サイズとし、アレー電極Ａ２〜ｎを可変するマルチ細分化電極とし、アレー電極Ａ１を、アレー電極Ａ２〜ｎより大きなサイズとしておく。
電流印加電極を任意に切換えて電流を印加し、電圧計測電極を任意に切換えて、電位差を計測することができる。
図７には示さないが、アレー電極Ａ１〜ｎに近接して電圧計測電極を設ければ、皮下脂肪組織層情報を得るための測定を実施することができる。
【０１０３】
これら電流印加電極１０と電圧計測電極１１及びアレー電極Ａ１〜ｍは、ＳＵＳ材及び樹脂材表面を金属めっき処理等して実現されていてもよい。このタイプの電極は、金属電極表面に、保水性高分子膜をコ−ティングすることで、測定前に水分をふきつけるか、水にぬらして使用する。水にぬらすことにより、皮膚との電気的接触の安定性を確保することができる。
また、粘着性貼り付けタイプの電極を用いることもできる。これは交換可能な粘着パッドを各電極のベ−ス電極面に貼り付けて皮膚との接触安定性をよくするものである。このタイプは、例えば、低周波治療器や心電図電極等でよく用いられており、測定後に取り外して廃棄するディスポーザブルのものと、繰り返し使用するものとがある。
【０１０４】
次いで、図８を参照して、本装置にて用いられる四肢誘導法による各種の身体部位間の生体インピーダンスの測定のうち、特に、体幹部インピーダンスのみを測定する場合の電極切換えの態様を説明する。
【０１０５】
図８の（Ａ）は、右手−右足間に通電し、左手−左足間にて電位差測定することにより、体幹部インピーダンスを測定する場合を示している（右上肢部と右下肢部間通電ルート体幹腹部生体インピーダンスZtmrrを示している）。この場合において、右手電流印加電極１０ｄと右足電流印加電極１０ｂとが電流印加電極として使用され、左手電圧計測電極１１ｃと左足電圧計測電極１１ａとが電圧計測電極として使用される。
【０１０６】
図８の（Ｂ）は、左手−左足間に通電し、右手−右足間にて電位差測定することにより、体幹部インピーダンスを測定する場合を示している（左上肢部と左下肢部間通電ルート体幹腹部生体インピーダンスZtmllを示している）。この場合において、左手電流印加電極１０ｃと左足電流印加電極１０ａとが電流印加電極として使用され、右手電圧計測電極１１ｄと右足電圧計測電極１１ｂとが電圧計測電極として使用される。
【０１０７】
図８の（Ｃ）は、右手−左足間に通電し、左手−右足間にて電位差測定することにより、体幹部インピーダンスを測定する場合を示している（右上肢部と左下肢部間通電ルート体幹腹部生体インピーダンスZtmrlを示している）。この場合において、右手電流印加電極１０ｄと左足電流印加電極１０ａとが電流印加電極として使用され、左手電圧計測電極１１ｃと右足電圧計測電極１１ｂとが電圧計測電極として使用される。
【０１０８】
図８の（Ｄ）は、左手−右足間に通電し、右手−左足間にて電位差測定することにより、体幹部インピーダンスを測定する場合を示している（左上肢部と右下肢部間通電ルート体幹腹部生体インピーダンスZtmlrを示している）。この場合において、左手電流印加電極１０ｃと右足電流印加電極１０ｂとが電流印加電極として使用され、右手電圧計測電極１１ｄと左足電圧計測電極１１ａとが電圧計測電極として使用される。このような四肢誘導法による各種の身体部位間の生体インピーダンスの測定における電極切換えは、被測定者（ユーザ）が各電極にタッチした状態において、演算兼制御部７により制御のもとで、電流印加電極選択部２１Ａおよび電圧計測電極選択部２０によって行われる。
【０１０９】
図９は、体幹腹部（中部）の構造を模式的に示す図であり、体幹腹部を構成する組織は、皮下脂肪組織層（ＦＳ）、骨格筋組織層（ＭＭ）、内臓器組織（ＶＭ）、その隙間に付着する内臓脂肪組織（ＦＶ）と考えることができる。体幹部へ通電する場合には、骨格筋組織層へ大半の電流が通電すると考えられる。何故ならば、骨格筋組織層の電気導電性が他の組織に比べて良いからである。内臓器組織は、内臓脂肪組織と直列に考えられ、内臓脂肪組織の大小により、通電量の変化を期待できることがわかる。
【０１１０】
図１０は、図９の体幹腹部の構造を電気的等価回路として表したもので、皮下脂肪組織層を省略して考えた簡略化体幹腹部等価回路を示しており、前項「３．体幹部構成組織の電気的等価回路モデル化」（14）におけるアプローチ１の手法にて考慮される体幹腹部等価回路である。また、図１１は、同様に、図９の体幹腹部の構造を電気的等価回路として表したもので、皮下脂肪組織層を省略せずに考えた体幹腹部等価回路を示しており、前項「３．体幹部構成組織の電気的等価回路モデル化」（15）におけるアプローチ２の手法にて考慮される体幹腹部等価回路である。なお、これらの図において使用されている符号は、前述したとおり、Ztmは、体幹中部全体のインピーダンス、ZFSは、皮下脂肪組織層のインピーダンス、ZMMは、骨格筋組織層のインピーダンス、ZVMは、内臓器組織のインピーダンス、ZFVは、内臓脂肪組織のインピーダンスをそれぞれ示している。そして、前述したとおり、図１０の等価回路においては、
Ztm ≒ ZMM／／(ZVM+ZFV)の関係式が成り立ち、
図１１の等価回路においては、Ztm = ZFS／／ZMM／／(ZVM+ZFV)の関係式が成り立つ。
【０１１１】
＜皮下脂肪組織層測定、或いは、皮下脂肪組織層及び内臓脂肪組織の選択測定＞
特に、皮下脂肪組織層測定、或いは、皮下脂肪組織層及び内臓脂肪組織の選択測定に用いられる技術を説明する。
【０１１２】
図１２は、図９に示された体幹部の模式図を臍高さにおける腹囲周横断面にてモデル化した図である。この図に示すように、体幹部断面は、最も外側にある皮下脂肪組織層（ＦＳ）と、そのすぐ内側にある骨格筋組織層（ＭＭ）と、最も内側にある内臓器組織（ＶＭ）とそれに取り巻く内臓脂肪組織（ＦＶ）を含む。
【０１１３】
図１３は、図１２に示された模式図を更に電気的な等価回路として表したものである。例えば、電流印加電極１０ｅ、１０ｆにおいて電流（Ｉ）を印加し、電圧計測電極１１ｅ、１１ｆで電位差（Ｖ）を測定するものとした場合、この等価回路における電気抵抗は、主として、臍前後付近の皮下脂肪組織層のインピーダンス（ＺＦＳ１、ＺＦＳ２）と、腹周囲の皮下脂肪組織層のインピーダンス（ＺＦＳ０）と、臍の左右各側の骨格筋組織層のインピーダンス（ＺＭＭ１、ＺＭＭ２）と、臍前後付近の内臓脂肪組織のインピーダンス（ＺＦＶ１、ＺＦＶ２）、更に、体幹部中心付近の内臓器組織のインピーダンス（ＺＶＭ）として現れる。
【０１１４】
図１４に、図１３を更に簡略化した回路を示す。ＺＦＳ１とＺＦＳ２は略同じ大きさと考えられるため、ここでは、それらを同値のＺＦＳとして表し、また、ＺＭＭ１とＺＭＭ２、或いは、ＺＦＶ１とＺＦＶ２は、それぞれ、ＺＭＭ、ＺＦＶとして表している。また、導電性が他の領域に比べて著しく低いと考えられるＺＦＳ０は省略した。これを省略できる点は、前項「３．体幹部構成組織の電気的等価回路モデル化」（13）の記載から明らかであろう。
【０１１５】
次に、図１５を参照して、四電極法における電極間距離と広がり抵抗の関係を説明する。図１５は、電極間距離と広がり抵抗の関係を示したものである。図中、丸い点線で囲った部分３０は広がり抵抗領域を示す。電流印加電極からの電流は、印加後に徐々に被験者の体内に広がるが、印加直後の領域、即ち、広がり抵抗領域においては、それほど大きくは広がっておらず、このため、これらの領域では電流密度が他の領域に比べて非常に高くなる。したがって、電流印加電極１０ｅ、１０ｆと電圧計測電極１１ｅ、１１ｆをあまりに接近させて配置した場合には、電圧計測電極１１ｅ、１１ｆにおいて測定される電位差は広がり抵抗領域における電流の影響を大きく受けてしまう。
【０１１６】
例えば、前述した式２より明らかなように、臍付近における皮下脂肪組織層のインピーダンス（ＺＦＳ）と、腹周囲における皮下脂肪組織層のインピーダンス（ＺＦＳ０）、骨格筋組織層のインピーダンス（ＺＭＭ）、内臓脂肪組織のインピーダンス（ＺＦＶ）、及び、体幹部中心付近の内臓器組織のインピーダンス（ＺＶＭ）の間には、
ZFS ＞＞  (ZVM+ZFV)   ＞＞ ZMM
の関係がある。
したがって、Ｉ−Ｖ電極間距離がほとんど無く近接して配置されたときの電位差計測インピーダンスΣＺ１は、
ΣＺ１＝２＊ＺＦＳ＋ＺＭＭ／／（ＺＶＭ＋ＺＦＶ）≒２＊ＺＦＳ
となる。これにより明らかなように、広がり抵抗の影響でＺＦＳが数倍に増幅されるため、ここでは、ＺＦＳによる情報が支配的となる。
【０１１７】
広がり抵抗の影響を小さくするには、電流印加電極と電圧計測電極の間の距離を大きくする必要がある。例えば、Ｉ−Ｖ電極間距離を１０ｃｍ程度確保して配置した場合の電圧計測インピーダンスΣＺ２は、
ΣＺ２≒２＊ＺＦＳ＋ＺＭＭ／／（ＺＶＭ＋ＺＦＶ）
である。明らかなように、Ｉ−Ｖ電極間距離を広げることによって、広がり抵抗の影響は多少小さくなっているが、この程度離しただけでは、まだＺＦＳの情報が支配的である。
【０１１８】
この広がり抵抗の影響を詳細に検討するため、図１６に示すように、電極１１ｅ、１１ｆ、１１ｇ、１１ｈにおけるＩ−Ｖ電極間及びＶ−Ｖ電極間相互の距離が各々１／３程度になるよう１０ｃｍ程度確保して配置した場合を考える。ただし、電極１０ｅ、１１ｅや、電極１０ｆ、１１ｈは、前記Ｉ−Ｖ電極間距離がほとんど無い近接配置とする。この場合の電位差計測インピーダンスΣＺ３は、
ΣＺ３≒２＊ＺＦＳ＋ＺＭＭ／／（ＺＶＭ＋ＺＦＶ）である。
このとき電極間で計測される電圧降下の関係は、おおよそ次のようになる。
Ｖ１＝Ｉ＊ＺＭＭ／／（ＺＶＭ＋ＺＦＶ）
Ｖ２＝Ｖ３＝Ｉ＊２＊ＺＦＳ
Ｖ１：（Ｖ２＋Ｖ３）≒１〜２：１０〜２０＝Ｓ：Ｎ
上式におけるＳの１〜２やＮの１０〜２０のバラツキは、皮下脂肪組織層の厚みの個人差と骨格筋組織層の発達具合によるものである。この結果からも分かるように、たとえ電極間距離を調節しても、十分なＳ／Ｎが確保できるとは言いがたい。
【０１１９】
また、ほとんどの電流は骨格筋組織層で支配的に通電されるため、内臓器組織と内臓脂肪組織の複合組織層への通電感度を十分に確保することはできない。即ち、骨格筋組織層に流れる電流をＩ１、測定対象である内臓器組織と内臓脂肪組織の複合組織層に流れる電流をＩ２とすれば、
Ｖ１＝Ｉ＊ＺＭＭ／／（ＺＶＭ＋ＺＦＶ）＝Ｉ１＊ＺＭＭ＝Ｉ２＊（ＺＶＭ＋ＺＦＶ）
Ｉ＝Ｉ１＋Ｉ２
となり、よって、
ＺＭＭ：（ＺＶＭ＋ＺＦＶ）＝Ｉ２：Ｉ１≒１：２〜５
となる。これより明らかなように、たとえ広がり抵抗の影響を排除できたとしても、骨格筋組織層に流れる電流は内臓器組織と内臓脂肪組織に流れる電流の２〜５倍にも及ぶため、この結果、Ｓ／Ｎ特性は更に悪くなる。このように、体幹部のような太短い測定部位においては、たとえ電極間距離を調整しても、電流印加電極間距離で上限が決まってしまうことから、Ｓ／Ｎ特性の改善には限界がある。
【０１２０】
次に、本発明による、体幹部内臓・皮下脂肪組織測定を行なうための、基本的な考え方について簡単に説明する。
【０１２１】
本発明では四電極法の考え方を用いる。四電極法で用いる基本的な４電極に関して、これらのうち、通電に必要な電流印加電極側の一方は、体幹部から突出する四肢または頭部（例えば、頭部の耳部にクリップ電極部として挟んで装着など）の何れかに配置するものとし、他方の電流印加電極は体幹腹部に配置するものとする。この構成によれば、例えば、耳にクリップ電極部として装着して体幹との間での測定を行うことができるため、寝たきりで両手が不自由な被験者の測定も可能である（この場合、耳クリップ電極部は、例えば、装置本体からリード線で引き出される形態にしてもよい）。また、本発明によれば、体幹部に配置する電極は、電流印加電極の一方のみとし、他の電極、つまり電圧計測電極は、二つとも他方の電流印加電極配置以外の残りの四肢または頭部に配置するようにしてもよい。ここでは、Organらの誘導法を応用した新誘導法を導入することもできる。この方法によれば、体幹腹部に配置する電流印加電極を片側だけにすることで、体幹腹部へ配置する電圧計測電極側への制約が大幅に改善することができる。
【０１２２】
本発明では、体幹腹部の内臓脂肪組織及び皮下脂肪組織層情報を簡便に測定するために、体幹部への通電を簡便にする。例えば、皮下脂肪組織層を測定するに際しては、測定対象とする体幹腹部に他方の電流印加電極を配置し、その電極直下の広がり抵抗成分を計測するための電圧計測電極配置として、電流印加電極に近接して電圧計測電極の一方を配置する。他方の電圧計測電極は、電流印加電極からの広がり抵抗の影響を受けない程度までの距離を確保して配置した電圧計測電極との間で得られる電位差から、皮下脂肪組織(厚)の情報を確保する。この他方の電圧計測電極は、体幹腹部に配置されても良いし、Organらの誘導法を応用した新誘導法により、四肢部に配置されても良い。
【０１２３】
皮下脂肪組織層計測時の電圧計測電極配置では、体幹に配置されている電流印加電極から電極直下の広がり抵抗の影響を支配的に受ける近接位置に配置し、他方をほぼ無視できる程度の距離を確保して電極を配置する。両電極とも臍囲周近辺上としても良いし、一方を体幹部長手方向としても良い。
【０１２４】
尚、臍囲周上の皮下脂肪組織厚分布は、部位によって個人差があるため、個々人で特徴を有する複数部位の計測情報を確保できる方が皮下脂肪組織量推定精度向上に有利である。四肢部および頭部に配置される一方の電流印加電極と対応する体幹部側に配置される電流印加電極を臍囲周近辺上に複数配置し、その電流印加電極直下の皮下脂肪組織層情報を計測可能とする電圧計測電極を必要数分配置する。
【０１２５】
本発明では、内臓脂肪を測定するに際しては、測定対象とする体幹腹部への他方の電流印加電極の配置を、体幹腹部を構成している骨格筋組織層を除いた通電性の悪い腱膜部(骨格筋との結合組織)とすることで、四肢部および頭部からの通電電流が体幹表面の骨格筋組織層支配となることを回避し、深部の内臓器組織＋内臓脂肪組織の複合組織層への通電電流比率を改善し、内臓脂肪組織の推定感度向上を可能とする。
【０１２６】
更に詳細に説明すると、ここでは、
１）体幹部からの突出部（例えば、四肢部や頭部）に通電用電流印加電極の一方を配置し、他方は、体幹腹部に配置する。
２）他方は、体幹腹部の骨格筋組織層を除く腱膜部に配置する。
３）最適な腱膜部は、左右の腹直筋と外腹斜筋の結合区間とする。
４）上肢部および頭部より電流を印加する場合は、前記腱膜部内の臍囲周近辺に他方の電流印加電極を配置する。
５）下肢部より電流を印加する場合は、前記腱膜部内の臍囲周より上肢部寄りの大隔膜寄りの近辺域に他方の電流印加電極を配置する。
６）体幹部に配置する電極は、電流印加電極の一方のみで、他の電極、つまり電圧計測電極は、二つとも他方の電流印加電極配置以外の残りの四肢部または頭部に配置することが出来る。ここでも、Organらの誘導法を応用した新誘導法を導入することができる。
【０１２７】
更に、内臓脂肪組織を測定するに際しては、測定対象とする体幹腹部への他方の電流印加電極の配置を、体幹腹部を構成している骨格筋組織層を除いた通電性の悪い腱膜部（骨格筋との結合組織）とすることで、四肢部や頭部からの通電電流が体幹表面の骨格筋組織層支配となることを回避し、深部の内臓器組織＋内臓脂肪組織の複合組織層への通電電流比率を改善し、内臓脂肪組織の推定感度を向上させることができる。更に詳細に説明すると、ここでは、
１）電圧計測電極は、皮下脂肪組織層と内臓脂肪組織の両方の計測情報を確保する誘導法として、前記皮下脂肪組織層計測の配置と内臓脂肪組織計測の配置の両方の電極を体幹部に配置してもよい。
２）電圧計測電極は、計測用の２電極とも体幹腹部に配置しても良い。
３）上肢部および頭部より電流印加の場合、電圧計測電極の一方は前記電流印加電極とともに臍囲周近辺上に配置され、他方は臍囲周近辺上または体幹部長手方向の通電区間内に配置されるものとする。
４）下肢部より電流印加の場合、電圧計測電極の一方は前記電流印加電極に近接して配置され、他方は臍囲周近辺上または体幹部長手方向の通電区間内に配置されるものとする。
５）内臓脂肪組織測定時の電圧計測電極配置は、体幹部に配置されている電流印加電極から電極直下の広がり抵抗の影響をほぼ無視できる程度の距離を確保して両電圧計測電極を配置し、上肢部および頭部より電流印加の場合、一方を臍囲周近辺上とし、他方を体幹部長手方向の通電区間内とし、一方、下肢部より電流印加の場合、一方を臍囲周より上肢部寄り域に配置し、他方を体幹部長手方向の通電区間内とする。
【０１２８】
図１７および図１８は、本発明によるマルチ電極面積安定時要件を説明するための図である。図１７は、体幹部のインピーダンスを四電極法にて測定するための図１５の電極配置と同様の図であるが、この図１７においては、本発明により、一方の電流印加電極１０ｅは、通常の電流印加電極とし、他方の電流印加電極１０ｆは、マルチ電流印加電極とし、これら電流印加電極１０ｅと電流印加電極１０ｆとの間に電圧計測電極１１ｅおよび１１ｆを配置している。マルチ電流印加電極１０ｆは、固定分電極部Ｉ０と複数の可変分マルチ細分化電極部Ｉ１からＩｎとで構成され、固定分電極部Ｉ０および可変分マルチ細分化電極部Ｉ１からＩｎは、例えば、図４および図５に関して説明した実施例における切換部２１Ｂのような切換部により、電流印加電極１０ｅとは反対の方向において順次互いに電気的につなげられるようにしていき、その電流印加電極１０ｆの体幹部との接触面積を順次増大することができるようなものとされている。なお、電流印加電極１０ｅと電圧計測電極１１ｅとの間の距離は、固定されており、電流印加電極１０ｆの固定分電極部Ｉ０と電圧計測電極１１ｆとの間の距離も固定とされている。
【０１２９】
図１８は、図１７の電極配置において、マルチ電流印加電極１０ｆの電極面積またはマルチ細分化電極数の増大につれて、電圧計測電極間電位差がどのように変化するかの一例を示すグラフである。本発明によれば、安定条件：ΔＶ／ΔＡＩ≦ａ０を満足する最初のマルチ電極ドライブ数条件又は、次のドライブまで進めて、さらに収束することを確認して、最適電極面積条件と判定する。これを、図１８に示した電圧計測電極間電位差変化曲線の場合について説明する。固定分電極部Ｉ０に可変分マルチ細分化電極部Ｉ１を電気的につなげたマルチ電極ドライブ数１の状態から、さらに、可変分マルチ細分化電極部Ｉ２を電気的につなげてマルチ電極ドライブ数２とした状態における電圧計測電極間電位差の変化分ΔＶを、マルチ電極面積の増加分ΔＡＩ（可変分マルチ細分化電極部１個分の面積）で除した値ΔＶ／ΔＡＩは、ａ０より大きいとすると、これは安定条件を満たしていない。マルチ電極ドライブ数を増大していき、マルチ電極ドライブ数を４としたとき、すなわち、固定分電極部Ｉ０に、可変分マルチ細分化電極部Ｉ１、Ｉ２、Ｉ３およびＩ４を電気的につなげたときに初めて、ΔＶ１／ΔＡＩの値がａ０に等しいかそれより小さくなったとすると、この状態は安定条件を満たしたとして、そのときにドライブされている電極部の総面積を最適電極面積とする。また、さらに次の可変分マルチ細分化電極部Ｉ５をドライブして、ΔＶ２／ΔＡＩの値がａ０よりさらに小さくなること（さらに収束すること）を確認して最適電極面積条件としてもよい。
【０１３０】
なお、図１８において、最適電極面積条件を満足したマルチ電極ドライブ数４の状態での電圧計測電極間電位差分Ｖは、広がり抵抗による電位差分であるから、皮下脂肪組織層計測情報にも応用可能である。
【０１３１】
また、前述した最適電極面積条件は、電圧計測電極間で測定される電位差の変化分に基いたものとして説明したのであるが、本発明は、これに限らず、後述する実施例の具体的説明におけるように、電圧計測電極間で測定される電位差を印加電流で除したインピーダンス（探査計測インピーダンス）の変化分に基くものとすることもできる。
【０１３２】
次に、図１９から図２４を参照して、本発明によるマルチ電極切換による体幹腹部マルチ電極による最適電極面積調整法について説明する。先ず、図１９は、電流印加電極が縦方向に配列されたアレー電極Ａ１からＡ８およびＡ’１からＡ’８であり、これらアレー電極Ａ１からＡ８およびＡ’１からＡ’８を、それぞれ体幹腹部右側および左側の腱膜下部に配置し、電圧計測電極１１ｅおよび１１ｆを、それぞれ体幹腹部右側および左側の腱膜上部に配置した電極配置実施例１を略示している。この電極配置実施例１においては、左右別個に最適電極面積条件を、前述したようなドライブ方法により探査し、両方の条件が決定した時点で、正規の内臓脂肪組織等の体内組織情報の測定に入る。なお、当然のことながら、アレー電極の電極数は、８個に限定されない。これは、以下の電極例配置実施例においても同様である。
【０１３３】
図２０は、別の電極配置実施例２を略示する図である。この電極配置実施例２では、一方の電流印加電極が横方向に配列されたアレー電極Ａ１からＡ８であり、これらアレー電極Ａ１からＡ８は、体幹腹部右側の腱膜下部に配置され、一方の電圧計測電極１１ｅは、体幹腹部右側の腱膜中部に配置され、他方の電圧計測電極１１ｆは、体幹腹部左側の腱膜下部に配置されている。そして、この電極配置実施例２の場合には、アレー電極Ａ１からＡ８を切換部２１Ｂにて順次ドライブしながら、右手に配置した他方の電流印加電極１０ｄとの間に電流を印加し、電圧計測電極１１ｅおよび１１ｆの間の電位差を測定する。このとき、最適電極面積条件を、前述したようなドライブ方法により探査し、その最適電極面積条件が決定した時点で、正規の内臓脂肪組織等の体内組織情報の測定に入る。
【０１３４】
図２１は、さらに別の電極配置実施例３を略示する図である。この電極配置実施例３では、一方の電流印加電極が横方向に配列されたアレー電極Ａ１からＡ８であり、これらアレー電極Ａ１からＡ８は、体幹腹部右側の腱膜下部に配置されている。そして、この電極配置実施例３の場合には、アレー電極Ａ１からＡ８を切換部２１Ｂにて順次ドライブしながら、右手に配置した他方の電流印加電極１０ｄとの間に電流を印加し、右足の電圧計測電極１１ｂと、左手の電圧計測電極１１ｃとの間の電位差を測定する。このとき、最適電極面積条件を、前述したようなドライブ方法により探査し、その最適電極面積条件が決定した時点で、正規の内臓脂肪組織等の体内組織情報の測定に入る。
【０１３５】
図２２は、さらに別の電極配置実施例４を略示する図である。この電極配置実施例４では、一方の電流印加電極が縦方向に配列されたアレー電極Ａ１からＡ８であり、これらアレー電極Ａ１からＡ８は、体幹腹部右側の腱膜下部に配置されている。そして、この電極配置実施例４の場合には、アレー電極Ａ１からＡ８を切換部２１Ｂにて順次ドライブしながら、右手に配置した他方の電流印加電極１０ｄとの間に電流を印加し、右足の電圧計測電極１１ｂと、左手の電圧計測電極１１ｃとの間の電位差を測定する。このとき、最適電極面積条件を、前述したようなドライブ方法により探査し、その最適電極面積条件が決定した時点で、正規の内臓脂肪組織等の体内組織情報の測定に入る。
【０１３６】
図２３は、さらに別の電極配置実施例５を略示する図である。この電極配置実施例５では、一方の電流印加電極が横８列、縦３列のマトリクス状に配列されたアレー電極Ａ１からＡ８、Ｂ１からＢ８およびＣ１からＣ８であり、これらアレー電極Ａ１からＡ８、Ｂ１からＢ８およびＣ１からＣ８は、体幹腹部右側の腱膜下部に配置されている。そして、この電極配置実施例４の場合には、アレー電極Ａ１からＡ８、Ｂ１からＢ８およびＣ１からＣ８を切換部２１Ｂにて順次ドライブしながら、右手に配置した他方の電流印加電極１０ｄとの間に電流を印加し、右足の電圧計測電極１１ｂと、左手の電圧計測電極１１ｃとの間の電位差を測定する。このとき、最適電極面積条件を、前述したようなドライブ方法により探査し、その最適電極面積条件が決定した時点で、正規の内臓脂肪組織等の体内組織情報の測定に入る。この場合において、アレー電極のドライブ順序は、例えば、Ａ１→Ｂ１→Ｃ１→Ａ２→Ｂ２→Ｃ２→Ａ３・・・・・・・・・→Ｃ７→Ａ８→Ｂ８→Ｃ８とする。
【０１３７】
図２４は、図２１の電極配置実施例３の場合の電極ドライブ操作実施例を説明するための図である。通常の内臓脂肪組織等の体内組織情報の測定に入る前に、本発明により、電流印加電極の最適電極面積を決定する手順として、先ず、ドライブ１において、演算・制御部３０からの指令により切換部２１Ｂは、アレー電極Ａ１からＡ８のうちの固定分電極部としてのアレー電極Ａ１のみを電流印加電極として作用するようなアレー電極の切り替えを行う。そして、電流印加電極１０ｄとアレー電極Ａ１との間に電流を印加し、電圧計測電極１１ｂと電圧計測電極１１ｃとの間の電位差を計測し、その値をメモリ４に記憶しておく。次いで、ドライブ２において、演算・制御部３０からの指令により切換部２１Ｂは、アレー電極Ａ１からＡ８のうちの可変分マルチ細分化電極部としてのアレー電極Ａ２も電流印加電極として作用するようなアレー電極の切り替えを行う。そして、電流印加電極１０ｄとアレー電極Ａ１およびＡ２との間に電流を印加し、電圧計測電極１１ｂと電圧計測電極１１ｃとの間の電位差を計測し、その値をメモリ４に記憶させていく。以下同様に、ドライブ３において、演算・制御部３０からの指令により切換部２１Ｂは、アレー電極Ａ１からＡ８のうちの可変分マルチ細分化電極部としてのアレー電極Ａ３も電流印加電極として作用するようなアレー電極の切り替えを行う。そして、電流印加電極１０ｄとアレー電極Ａ１、Ａ２およびＡ３との間に電流を印加し、電圧計測電極１１ｂと電圧計測電極１１ｃとの間の電位差を計測し、その値をメモリ４に記憶していく。このような電極切換と電位差測定を、ドライブ４からドライブ８まで順次繰り返していく。メモリ４に記憶された電位差に基いて、前述したような最適電極面積条件を満足するドライブ位置を、ドライブ１からドライブ８の中から選択決定する。例えば、ドライブ５の状態で最適電極面積条件が満足されたとすれば、最適電極面積を有するアレー電極Ａ１からＡ５からなる互いにつなげられたアレー電極群を一方の電流印加電極としての通常の内臓脂肪組織等の体内組織情報の測定に入ることになる。なお、このような電極ドライブ操作の態様は、図１９の電極配置実施例１、図２０の電極配置実施例２、図２２の電極配置実施例４等にも同様に適用されうるものである。また、図２１、２２、２３で図中に記載のＳＡは、四肢部に配置された電圧計測電極による体幹部における等価電極貼付位置、つまり、仮想電極位置を示す。
【０１３８】
次に、図２５乃至図３０を参照して、本発明のマルチ電極を使用することができる四肢部と体幹部の組み合わせ電極配置による脂肪組織、ここでは特に、内臓脂肪組織を測定するための電極配置を説明する。
【０１３９】
図２５Ａ乃至Ｃに、通電用の電流印加電極の一方を（グリップ電極部として）掌部に設け、他方の電流印加電極を体幹腹部内（腱膜上）に設け、その他２つの電圧計測電極対を体幹腹部上に配置する電極配置を示す。
【０１４０】
図２５Ａは、特に、右腕−体幹腹部通電計測に関するものであって、電流Ｉ１を印加するため、電流印加電極対の一方の電流印加電極１０ｄを（グリップ電極部として）右手の掌部に設け、腹部用のものとして体幹腹部内（腱膜上）に他方の電流印加電極１０ｅを設け、更に、電位差Ｖ１、Ｖ１’を計測するため、電圧計測電極対１１ｅ、１１ｇと電圧計測電極対１１ｆ、１１ｇを、体幹腹部上にそれぞれ配置して、内臓脂肪組織を測定する電極配置を示す。特に、電圧計測電極１１ｆは、臍囲周上の電流印加電極１０ｅから、広がり抵抗の影響が回避できる距離以上を確保でき、また、同等電位が計測できる位置であればどこに配置されていてもよい。尚、電位差Ｖ１、電位差Ｖ１’のいずれによっても、略同じ測定結果を得ることができる。
【０１４１】
図２５Ｂは、電流Ｉ２を印加して電圧Ｖ２、Ｖ２’を計測するための、左腕−体幹腹部通電計測に関するものであって、図２５Ａとは、電極の配置位置を左右対称としたものである。
【０１４２】
図２５Ｃは、図２５Ａ、Ｂを組み合わせた両腕−体幹腹部通電計測に関するものであって、電流Ｉ３を印加するため、電流印加電極対の一方の電流印加電極１０ｄを（グリップ電極部として）右手の掌部に設け、さらには、電流印加電極対の一方の電流印加電極１０ｃを（グリップ電極部として）左手の掌部に設け、腹部用のものとして体幹腹部内（腱膜上）に他方の電流印加電極１０ｅを設け、更に、電位差Ｖ３、Ｖ３’を計測するため、電圧計測電極対１１ｅ、１１ｇと電圧計測電極対１１ｆ、１１ｇを、体幹腹部上にそれぞれ配置して、内臓脂肪組織を測定する電極配置を示す。
【０１４３】
図２６Ｄ乃至Ｆに、通電用の電流印加電極の一方を（フット電極部として）足裏部に設け、他方の電流印加電極を体幹腹部内（腱膜上）に設け、その他２つの電圧計測電極対を体幹腹部上に配置する電極配置を示す。
【０１４４】
図２６Ｄは、特に、右脚−体幹腹部通電計測に関するものであって、電流Ｉ４を印加するため、電流印加電極対の一方の電流印加電極１０ｂを（フット電極部として）右脚の足裏部に設け、他方の電流印加電極１０ｅを体幹腹部内（腱膜上）に設け、更に、電位差Ｖ４、Ｖ４’を計測するため、電圧計測電極対１１ｆ、１１ｇと電圧計測電極対１１ｅ、１１ｇを、体幹腹部上にそれぞれ配置して、内臓脂肪組織を測定する電極配置を示す。
【０１４５】
また、図２６Ｅは、電流Ｉ５を印加して電位差Ｖ５、Ｖ５’を計測するための、左脚−体幹腹部通電計測に関するものであって、図２０Ｄとは、電極の配置位置を左右対称としたものである。
【０１４６】
図２６Ｆは、図２６Ｄ、Ｅを組み合わせた両脚−体幹腹部通電計測に関するものであって、電流Ｉ６を印加するため、電流印加電極対の一方の電流印加電極１０ｂを（フット電極部として）右脚の足裏部に設け、さらに、電流印加電極対の一方の電流印加電極１０ａを（フット電極部として）左脚の足裏部に設け、他方の電流印加電極１０ｅを体幹腹部内（腱膜上）に設け、更に、電位差Ｖ６、Ｖ６’を計測するため、電圧計測電極対１１ｅ、１１ｇと電圧計測電極対１１ｆ、１１ｇを、体幹腹部上にそれぞれ配置して、内臓脂肪組織を測定する電極配置を示す。
【０１４７】
図２７Ｇ乃至Ｉに、頭部耳部に通電用の電流印加電極の一方を（耳たぶ等に挟むクリップ電極部として）設け、他方の電流印加電極を体幹腹部内（腱膜上）に設け、１つ又は２つの電圧計測電極対を体幹腹部上等に配置する電極配置を示す。
【０１４８】
図２７Ｇは、特に、右耳−体幹腹部通電計測に関するものであって、電流Ｉ７を印加するため、電流印加電極対の一方の電流印加電極１０ｆを（耳たぶ等に挟むクリップ電極部として）右側の頭部耳部に設け、他方の電流印加電極１０ｅを体幹腹部内（腱膜上）に設け、更に、電位差Ｖ７を測定するため、電圧計測電極対１１ｅ、１１ｆを体幹腹部上に、それぞれ配置して、内臓脂肪組織を測定する電極配置を示す。
【０１４９】
また、図２７Ｈは、電流Ｉ８を印加して電位差Ｖ８を測定するための、左耳−体幹腹部通電計測に関するものであって、図２７Ｇとは、電極の配置位置を左右対称としたものである。
【０１５０】
図２７Ｉは、図２７Ｇ、Ｈを組み合わせた、Ｏｒｇａｎらの誘導法による右耳−体幹腹部通電計測に関するものであって、電流Ｉ７を印加してするため、電流印加電極対の一方の電流印加電極１０ｆを（耳たぶ等に挟むクリップ電極部として）右側の頭部耳部に設け、他方の電流印加電極１０ｅを体幹腹部内（腱膜上）に設け、更に、電位差Ｖ９、Ｖ９’、Ｖ９''、Ｖ９'''を測定するため、電圧計測電極対１１ｄ、１１ｆと電圧計測電極対１１ｃ、１１ｅを、体幹腹部上にそれぞれ配置して、内臓脂肪組織を測定する電極配置を示す。
【０１５１】
図２８Ｊ、Ｋに、通電用の電流印加電極の一方を（グリップ電極部として）掌に設け、他方の電流印加電極を体幹腹部内（腱膜上）に設け、２つの電圧計測電極対の一方を電流印加電極と左右対向する掌部に（グリップ電極部として）設け、他方を体幹腹部上に配置する電極配置を示す。
【０１５２】
図２８Ｊは、特に、Ｏｒｇａｎらの誘導法による右腕−体幹腹部通電計測に関するものであって、電流Ｉ１を印加するため、電流印加電極対の一方の電流印加電極１０ｄを（グリップ電極部として）右手の掌部に設け、他方の電流印加電極１０ｅを体幹腹部内（腱膜上）に設け、更に、電位差Ｖ１０、Ｖ１０’を計測するため、電圧計測電極対それぞれに共通する一方の電圧計測電極１１ｃを電流印加電極１０ｄと左右対向する掌部に（グリップ電極部として）設け、２つの電圧計測電極対のうちの他方の電圧計測電極１１ｅ、１１ｆを、体幹腹部上に、それぞれ配置して、内臓脂肪組織を測定する電極配置を示す。
【０１５３】
図２８Ｋは、電流Ｉ２を印加して電位差Ｖ１１、Ｖ１１’を計測するための、Ｏｒｇａｎらの誘導法による左腕−体幹腹部通電計測に関するものであって、図２８Ｊとは、電極の配置位置を左右対称としたものである。
【０１５４】
図２９Ｌ、Ｍに、通電用の電流印加電極の一方を（フット電極部として）足裏に設け、他方の電流印加電極を体幹腹部内（腱膜上）に設け、２つの電圧計測電極対の一方を電流印加電極と左右対向する足裏部に（フット電極部として）設け、他方を体幹腹部上に配置する電極配置を示す。
【０１５５】
図２９Ｌは、特に、Ｏｒｇａｎらの誘導法による右脚−体幹腹部通電計測に関するものであって、電流Ｉ４を印加するため、電流印加電極対の一方の電流印加電極１０ｂを（フット電極部として）右脚の足裏部に設け、他方の電流印加電極１０ｅを体幹腹部内（腱膜上）に設け、更に、電位差Ｖ１２、Ｖ１２’を計測するため、電圧計測電極対それぞれに共通する一方の電圧計測電極１１ａを電流印加電極１０ｂと左右対向する足裏部に（フット電極部として）設け、２つの電圧計測電極対のうちの他方の電圧計測電極１１ｅ、１１ｆを、体幹腹部上に、それぞれ配置して、内臓脂肪組織を測定する電極配置を示す。
【０１５６】
また、図２９Ｍは、電流Ｉ５を印加して電位差Ｖ１３、Ｖ１３’を計測するための、Ｏｒｇａｎ等の誘導法による左脚−体幹腹部通電計測に関するものであって、図２９Ｌとは、電極の配置位置を左右対称としたものである。
【０１５７】
図３０Ｎ乃至Ｒに、通電用の電流印加電極の一方を四肢（及び頭部）のいずれか１箇所に設け、他方の電流印加電極を体幹腹部内（腱膜上）に設け、２つの電圧計測電極対の一方を前記四肢部の１箇所に設けた電流印加電極と左右対向する四肢部に設け、他方を電流印加電極を設けていない上下肢の左右対向する二肢側の電極間を電気的にショートさせて配置する電極配置を示す。
【０１５８】
図３０Ｎは、特に、Ｏｒｇａｎらの誘導法による右腕−体幹腹部通電計測に関するものであって、電流Ｉ１を印加するため、電流印加電極対の一方の電流印加電極１０ｄを（グリップ電極部として）右手の掌部に設け、他方の電流印加電極１０ｅ（左側）と１０ｆ（右側）を臍Ａを中心とした左右各側に設け、更に、前記電流印加に対する共通の電位差Ｖ１４を計測するため、電圧計測電極対の一方の電圧計測電極１１ｃを電流印加電極１０ｄと左右対向する掌部に（グリップ電極部として）設け、他方の電圧計測電極１１ａ、１１ｂを電気的にショートさせて、左右の脚の足裏部に（フット電極部として）配置して、内臓脂肪組織を測定する電極配置を示す。
【０１５９】
また、図３０Ｏは、電流Ｉ２を印加して電位差Ｖ１５を計測するための、Ｏｒｇａｎ等の誘導法による左腕−体幹腹部通電計測に関するものであって、図３０Ｎとは、電極の配置位置を左右対称としたものである。
【０１６０】
図３０Ｐは、Ｏｒｇａｎらの誘導法による右耳−体幹腹部通電計測に関するものであって、電流Ｉ７を印加するため、電流印加電極対の一方の電流印加電極１０ｈ（左側）又は１０ｇ（右側）を（耳たぶ等に挟むクリップ電極部として）左右各側の頭部耳部に設け、これらにそれぞれ対応して、他方の電流印加電極１０ｆ（左側）又は１０ｃ（右側）を体幹腹部内（腱膜上）に設け、更に、電位差Ｖ１６、１６’を測定するため、一方の電圧計測電極対の一方の電圧計測電極１１ｄを右手の掌部に、他方の左右脚の電圧計測電極１１ｂと１１ａを電気的にショートして足裏部に、また、他方の電圧計測電極対の一方の電圧計測電極１１ｃを左手の掌部に、他方の左右脚の電圧計測電極１１ｂと１１ａを電気的にショートして足裏部に、それぞれ配置して、内臓脂肪組織を測定する電極配置を示す。
【０１６１】
図３０Ｑは、Ｏｒｇａｎらの誘導法による右脚−体幹腹部通電計測に関するものであって、電流Ｉ４を印加するため、電流印加電極対の一方の電流印加電極１０ｂを（フット電極部として）右脚の足裏部に設け、他方の電流印加電極１０ｅ、１０ｆを体幹腹部内（腱膜上）に設け、更に、Ｖ１７を計測するため、電圧計測電極対の一方の電圧計測電極１１ａを左脚の足裏に（フット電極部として）設け、他方の左右の手の掌部の電圧計測電極１１ｃ、１１ｄを、電気的にショートして配置して、内臓脂肪組織を測定する電極配置を示す。
【０１６２】
図３０Ｒは、電流Ｉ５を印加して電位差Ｖ１８を計測するための、Ｏｒｇａｎらの誘導法による左脚−体幹腹部通電計測に関するものであって、図３０Ｎとは、電極の配置位置を左右対称としたものである。
【０１６３】
更に、図３１乃至図３４を参照して、電極最適位置の探索を行うことができる四肢部と体幹部組み合わせ電極配置による脂肪組織層、ここでは特に、皮下脂肪脂肪層を計測するための電極配置を説明する。
【０１６４】
図３１Ｓ乃至Ｕに、通電用の電流印加電極の一方（グリップ電極部）を掌部に設け、他方の電流印加電極を体幹腹部内（腱膜上）に設け、その他２つの電圧計測電極対を体幹腹部上に配置する誘導法を示す。
【０１６５】
図３１Ｓは、特に、右腕−体幹腹部通電計測に関するものであって、電流Ｉ１ａ、Ｉ１ｂを印加するため、共通する電流印加電極対の一方の電流印加電極１０ｄを（グリップ電極として）右手の掌部に設け、他方の電流印加電極１０ｅ（右側）、１０ｆ（左側）を腹部用のものとして体幹腹部内（腱膜上）の臍Ａを中心とした左右各側に設け設け、更に、電位差Ｖ１、Ｖ１’を計測するため、電圧計測電極対それぞれに共通する一方の電圧計測電極１１ｅを電流印加電極１０ｅ、１０ｆから十分離して体幹腹部上に設け、２つの電圧計測電極対のうちの他方の電圧計測電極１１ｆ（右側）、１１ｇ（左側）をそれぞれ、電流印加電極１０ｅ、１０ｆに近接させて配置して、皮下脂肪組織層を、或いは、皮下脂肪組織層と内臓脂肪組織を選択的に測定する電極配置を示す。
【０１６６】
図３１Ｔは、電流Ｉ２ａ、Ｉ２ｂを印加して電位差Ｖ２ａ、Ｖ２ｂを計測するための、左腕−体幹腹部通電計測に関するものであって、図３１Ｓとは、電極の配置位置を左右対称としたものである。
【０１６７】
図３１Ｕは、両腕−体幹腹部通電計測に関するものであって、電流Ｉ３ａ、I３ｂを印加するため、電流印加電極対の一方の電流印加電極１０ｄと１０ｃとをショートするとともに１０ｄを（グリップ電極部として）右手の掌部に、かつ、電流印加電極１０ｃを（グリップ電極部として）左手の掌部に設け、印加電流Ｉ３ｂに対応する他方の電流印加電極１０ｆを腹部用のものとして体幹腹部内（腱膜上）の臍Ａを中心とした左側に設け、印加電流Ｉ３ａに対応する他方の電流印加電極１０ｅを腹部用のものとして体幹腹部内（腱膜上）の臍Ａを中心とした右側に設け、更に、Ｖ３ｂ、Ｖ３ｂ’を計測するため、電圧計測電極対それぞれに共通する一方の電圧計測電極１１ｅを電流印加電極１０ｅ、１０ｆから十分離して体幹腹部上に設け、２つの電圧計測電極対のうちの他方の電圧計測電極１１ｆ（右側）、１１ｇ（左側）をそれぞれ、電流印加電極１０ｅ、１０ｆに近接させて配置して、皮下脂肪組織層を、或いは、皮下脂肪組織層と内臓脂肪組織を選択的に測定する電極配置を示す。
【０１６８】
図３２に、通電用の電流印加電極の一方を（フット電極部として）足裏部に設け、他方の電流印加電極を体幹腹部内（腱膜上）に設け、その他２つの電圧計測電極対を体幹腹部上に配置する誘導法を示す。
図３２は、特に、右脚−体幹腹部通電計測に関するものであって、電流Ｉ４ａ、Ｉ４ｂを印加するため、電流印加電極対それぞれに共通する一方の電流印加電極１０ｂを右脚の足裏部に（フット電極部として）設け、他方の電流印加電極１０ｅ（右側）、１０ｆ（左側）を、体幹腹部内（腱膜上）の臍Ａを中心とした左右各側に設け、更に、Ｖ４ａを計測するため、電圧計測電極対の一方の電圧計測電極１１ｅを電流印加電極１０ｅ、１０ｆから十分離して体幹腹部上に設け、他方の電圧計測電極１１ｆを、電流印加電極１０ｅに近接させてその右側に、また、Ｖ４ｂを計測するため、電圧計測電極対の一方の電圧計測電極１１ｅを電流印加電極１０ｅ、１０ｆから十分離して体幹腹部上に設け、他方の電圧計測電極１１ｇを、電流印加電極１０ｅに近接させてその左側に、更に、Ｖ４ｃを計測するため、電圧計測電極対の一方の電圧計測電極１１ｅを電流印加電極１０ｅ、１０ｆから十分離して体幹腹部上に設け、他方の電圧計測電極１１ｈを、電流印加電極１０ｆに近接させてその左側に、更にまた、Ｖ４ｄを計測するため、電圧計測電極対の一方の電圧計測電極１１ｅを電流印加電極１０ｅ、１０ｆから十分離して体幹腹部上に設け、他方の電圧計測電極１１ｉを、電流印加電極１０ｆに近接させてその左側に、それぞれ配置して、皮下脂肪組織層を、或いは、皮下脂肪組織層と内臓脂肪組織を選択的に測定する電極配置を示す。
【０１６９】
図３３に、通電用の電流印加電極の一方を（グリップ電極として）掌に設け、他方の電流印加電極を体幹腹部内（腱膜上）に設け、２つの電圧計測電極対の一方を電流印加電極と左右対向する掌に（グリップ電極として）設け、他方を体幹腹部上に配置する誘導法を示す。
図３３は、特に、Ｏｒｇａｎらの誘導法による右腕−体幹腹部通電計測に関するものであって、電流Ｉ１を印加するため、電流印加電極対の一方の電流印加電極１０ｄを（グリップ電極部として）右手の掌部に設け、他方の電流印加電極１０ｅを体幹腹部内（腱膜上）に設け、更に、電位差Ｖ５、Ｖ５’を計測するため、電圧計測電極対それぞれに共通する一方の電圧計測電極１１ｃを電流印加電極１０ｄと左右対向する左手の掌部に（グリップ電極部として）設け、他方を電流印加電極１０ｅに近接させて体幹腹部上におけるその左右各側にそれぞれ配置して、皮下脂肪組織層を選択的に測定する電極配置を示す。
【０１７０】
図３４に、通電用の電流印加電極の一方を（フット電極部として）足裏部に設け、他方の電流印加電極を体幹腹部内（腱膜上）に設け、２つの電圧計測電極対の一方を電流印加電極と左右対向する足裏部に（フット電極部として）設け、他方を体幹腹部上に配置する誘導法を示す。
図３４は、特に、Ｏｒｇａｎらの誘導法による右脚−体幹腹部通電計測に関するものであって、電流Ｉ４を印加するため、電流印加電極対の一方の電流印加電極１０ｂを（フット電極部として）右脚の足裏に設け、他方の電流印加電極１０ｅを体幹腹部内（腱膜上）に設け、更に、電位差Ｖ６、Ｖ６’を計測するため、電圧計測電極対それぞれに共通する一方の電圧計測電極１１ａを、電流印加電極１０ｂと左右対向する足裏に（フット電極部として）設け、他方の電圧計測電極１１ｆ、１１ｅを、電流印加電極１０ｅに近接させて体幹腹部上におけるその左右各側にそれぞれ配置して、皮下脂肪組織層を選択的に測定する電極配置を示す。
【０１７１】
＜フローチャート＞
次に、図３５に示す基本フローチャートと図３６から図４２に示すサブルーチンフローチャートを参照して、図１乃至７に示す本発明の実施形態での体幹部内臓脂肪測定装置の操作および動作について説明する。
【０１７２】
図３５に示す基本フローチャート（特に、図２１の電極配置実施例３に対応）においては、先ず、操作・入力部５１における電源スイッチ（図示していない）がオンされると、電源部１８から電気系統各部に電力を供給し、表示部５２により身長等を含む身体特定化情報（身長、体重、性別、年齢等）を入力するための画面が表示される（ステップＳ１）。
【０１７３】
続いて、この画面にしたがって、ユーザは、操作・入力部５１から身長、体重、性別、年齢等を入力する（ステップＳ２）。この場合において、体重については、操作・入力部５１から入力してもよいが、体重計形の本体部１１に設けられた体重測定部により、身体目方特定情報（体重）に起因する電圧について測定し、演算・制御部３０により身体目方特定情報（体重）を演算するようにしてもよい。これら入力値は、記憶部４に記憶される。
【０１７４】
次に、ステップＳ３にて、体幹部長、腹囲長等の形態計測実測値を入力するか否かの判断を行い、それら形態計測実測値を入力する場合には、ステップＳ４にて、形態計測を実施して、体幹部長、腹囲長等の実測値を操作・入力部５１から入力し、ステップＳ６へ移行する。ステップＳ３において、形態計測実測値を入力しないと判断する場合には、ステップＳ５に移行する。これら入力値も、記憶部４に記憶される。同様に、以下の処理において得られる数値情報等は、記憶部（メモリ）４に記憶される。
【０１７５】
ステップＳ５において、演算・制御部３０は、記憶部４に記憶された身長、体重、性別、年齢等の身体特定化情報から、体幹部長、腹囲長等を推定する形態計測情報推定処理（例えば、人間身体情報データベースから作成する検量線使用）を行う。
【０１７６】
続いて、ステップＳ６において、最適電極面積配置探査処理を実施するか否かの判断を行い、実施する場合は、ステップ７において、マルチ（アレーおよびマトリクス）電極による最適電極面積配置探査処理を実施する。このステップ７については、図３９に示すサブルーチンフローチャートを参照して後で詳述する。ステップＳ６において、最適電極面積配置探査処理を実施しないと判断した場合は、ステップＳ８へ移行する。
【０１７７】
続いて、ステップＳ８において、インピーダンス測定部により、体幹部インピーダンス計測処理を行う。この体幹部インピーダンス計測処理については、図４０等に示すサブルーチンフローチャートを参照して後述する。
【０１７８】
次に、ステップＳ９において、演算・制御部３０により、体幹部骨格筋組織横断面積量（ＡＭＭ）の推定処理を行う。この演算処理は、例えば、記憶部４に記憶された身長Ｈ、体重Ｗ、年齢Ａｇｅを用いて、前述の式３に基づいて行われる。
【０１７９】
次に、ステップＳ１０において、演算・制御部３０により、体幹部骨格筋組織層インピーダンス（ＺＭＭ）の推定処理を行う。このＺＭＭは、記憶部４に記憶された身長Ｈと、ステップＳ７で求めたＡＭＭとを用いて、前述の式４に基づいて行われる。
【０１８０】
次に、ステップ１１において、演算・制御部３０により、皮下脂肪組織量（ＡＦＳ）の推定処理を行うものである。このステップ１１については、図３６に示すサブルーチンフローチャートを参照して後で詳述する。
【０１８１】
ステップＳ１２は、演算・制御部３０により、内臓器組織量（ＡＶＭ）および内臓器組織インピーダンス（ＺＶＭ）の推定処理を行うものである。このステップ１２については、図３７に示すサブルーチンフローチャートを参照して後で詳述する。
【０１８２】
ステップＳ１３は、演算・制御部３０により、内臓脂肪組織インピーダンス（ＺＦＶ）および内臓脂肪組織量（ＡＦＶ）の推定処理を行うものである。このステップ１３については、図３８に示すサブルーチンフローチャートを参照して後で詳述する。
【０１８３】
次に、ステップＳ１４において、演算・制御部３０により、内臓脂肪／皮下脂肪比（Ｖ／Ｓ）の演算処理を行う。この処理は、記憶部４に記憶された前述した式１５に従って行われる。
【０１８４】
次に、ステップＳ１５において、演算・制御部３０により、体格指数（ＢＭＩ）の演算処理を行う。この演算処理は、記憶部４に記憶された体重Ｗと身長Ｈから次の式にて算出され得る。
ＢＭＩ＝Ｗ／Ｈ2
【０１８５】
更に、ステップＳ１６において、演算・制御部３０により、体幹部体脂肪率（％Ｆａｔｔ）の演算処理を行う。この演算処理は、記憶部４に記憶された皮下脂肪組織量（ＡＦＳ）、内臓脂肪組織量（ＡＦＶ）、体幹部骨格筋横断面積量（ＡＭＭ）、及び、内臓器組織量（ＡＶＭ）から次の式にて算出されるものである。
％Ｆａｔｔ＝（ＡＦＳ＋ＡＦＶ）／［（ＡＦＳ＋ＡＦＶ）＋ＡＭＭ＋ＡＶＭ］＊１００
【０１８６】
次に、ステップＳ１７において、演算・制御部３０により、内臓脂肪率（％ＶＦａｔ）の演算処理が行われる。この処理は、前述の演算処理により算出され記憶部４に記憶された体幹部体脂肪率（％Ｆａｔｔ）、内臓脂肪／皮下脂肪比（Ｖ／Ｓ）から次の式にて行われる。
％ＶＦａｔ=％Ｆａｔｔ＊（Ｖ／Ｓ）／[（Ｖ／Ｓ）＋１]
【０１８７】
最後に、ステップＳ１８において、演算・制御部３０は、前述したような演算処理にて求められた内臓脂肪組織情報（ＡＦＶ、％ＶＦａｔ）、体組成情報（％Ｆａｔｔ、ＡＭＭ、ＡＦＳ、ＡＶＭ）、体格指数（ＢＭＩ）や、後述する処理によって得られるアドバイス指針等を、表示部５２に表示させるような表示処理を行う。これにより、一連の処理を終了する（ステップＳ１９）。
【０１８８】
次に、前述のステップＳ１１の皮下脂肪組織量（ＡＦＳ）の推定処理について、図３６のサブルーチンフローチャートを参照して詳述する。この推定処理は、ステップＳ２０にて、記憶部４に記憶された諸数値および前述の式１３、１４を用いて行われる。または、次の式を用いて行われる。
ＡＦＳ＝ａａ０＊ＺＦＳ＊Ｌｗ＋ｂｂ０
ここで、ａａ０、ｂｂ０は、定数で別の値を与える。
【０１８９】
次に、前述のステップＳ１２の内臓器組織量（ＡＶＭ）および内臓器組織インピーダンス（ＺＶＭ）の推定処理について、図３７のサブルーチンフローチャートを参照して詳述する。この推定処理は、ステップＳ２１において、記憶部４に記憶された諸数値および前述の式１１を用いて内臓器組織量（ＡＶＭ）を算出し、ステップＳ２２において、記憶部４に記憶された諸数値および前述の式１２を用いて実行される。
【０１９０】
次に、前述のステップＳ１３の内臓脂肪組織インピーダンス（ＺＦＶ）および内臓脂肪組織量（ＡＦＶ）の推定処理について、図３８のサブルーチンフローチャートを参照して詳述する。この推定処理は、ステップＳ２３において、記憶部４に記憶された諸数値および前述の式７を用いて内臓脂肪組織インピーダンス（ＺＦＶ）を算出し、ステップＳ２４において、記憶部４に記憶された身長Ｈおよび算出した内臓脂肪組織インピーダンス（ＺＦＶ）および前述の式１０を用いて内臓脂肪組織量（ＡＦＶ）を算出するものである。
【０１９１】
ステップＳ７のマルチ電極による最適電極面積配置探査処理について、図３９のサブルーチンフローチャートを参照して、詳述する（ここでは、８アレー電極構成の制御処理で説明する）。まず、ステップＳ２５にて、カウンター等の初期設定を行う。例えば、Ｚｔｍmxのｍはアレー電極番号、ｘは時系列番号として、ｍ＝０、ｘ＝１とする。
次に、ステップＳ２６で、測定タイミングか否かの判定を行う。一例として、サンプリング周期は、Ｔｓ＝０.２秒とする。そして、測定タイミングでないと判定された場合には、所定の周期後に再度ステップＳ２６で測定タイミングか否かの判定を行う。測定タイミングと判定された場合には、ステップ２７にて、体幹部探査インピーダンス（Ｚｔｍ）測定電極配置設定処理を行う。
【０１９２】
ステップＳ２８に移行して、アレー電極（ｍ＝１〜８）の選択処理を行う。
ｍ←ｍ＋１
【０１９３】
次に、ステップＳ２９に移行して、１〜ｍ番目までのアレー電極を全てドライブする（以下、ｍ番目で代表表記する）。
【０１９４】
次に、ステップＳ３０に移行して、体幹部インピーダンス（Ｚｔｍx）計測処理を行う。
【０１９５】
次に、ステップＳ３１に移行して、ｘ＞１か否かの判定を行う。ステップＳ３１において、ｘ＞１でないと判定された場合は、ステップＳ３４に移行する。
【０１９６】
ステップＳ３１において、ｘ＞１であると判定された場合は、ステップＳ３２に移行し、ｍ番目のアレー電極配置での体幹部探査インピーダンスの前回登録値の読み出し処理を行う。
Ｚｔｍx-1←Ｚｔｍmx-1
【０１９７】
次に、ステップＳ３３に移行して、探査計測インピーダンス（Ｚｔｍx）データスムージング処理（移動平均処理等）を行う。
体幹部探査インピーダンス：Ｚｔｍx←（Ｚｔｍx-1＋Ｚｔｍx）／２
【０１９８】
次に、ステップＳ３４に移行して、ｍ番目のアレー電極配置での体幹部探査インピーダンス計測値登録処理を行う。
Ｚｔｍmx←Ｚｔｍx
【０１９９】
次に、ステップＳ３５に移行して、ｍ≧８か否かの判定を行う。ステップＳ３５において、ｍ≧８でないと判定された場合は、ステップＳ２６へ戻り、測定タイミングか否かの判定を行う。
【０２００】
ステップＳ３５において、ｍ≧８であると判定された場合は、ステップＳ３６へ移行する。
【０２０１】
次に、ステップＳ３６において、最適電極面積配置判定処理を行う。即ち、８つのアレー電極（ｍ＝１〜８）間のインピーダンスを相互に比較し、最適電極面積配置条件に合う配置を絞り込む。
【０２０２】
次に、ステップＳ３７に移行し、最適電極面積配置条件に相当するアレー電極番号と探査計測インピーダンスとを登録する。
□x，Ｚｔｍ□x
【０２０３】
次に、ステップＳ３８に移行して、ｘ＞所定回数ｎか否かの判定を行う。ステップＳ３８において、ｘ＞所定回数ｎでないと判定された場合は、ステップＳ３９に移行し、ｘ←ｘ＋１、ｍ←０とする。次に、ステップＳ２６へ戻り、再度測定タイミングか否かを判定する。
【０２０４】
ステップＳ３８において、ｘ＞所定回数ｎである、と判定された場合は、ステップＳ４０へ移行し、最適電極面積配置条件で登録されているアレー電極番号の一致率判定処理を行う。即ち、規定回数同じ番号が続くか、又は近接する番号範囲内かを判定する。
【０２０５】
次に、ステップＳ４１に移行し、最適電極面積配置決定条件を満足するか否かの判定を行う。ステップＳ４１において、最適電極面積配置決定条件を満足しないと判定された場合は、ステップＳ３９に移行し、ｘ←ｘ＋１、ｍ←０とする。
【０２０６】
ステップＳ４１において、最適電極面積配置決定条件を満足すると判定された場合は、ステップＳ４２に移行し、最適電極面積配置アレー電極番号で計測された探査計測インピーダンスの安定性判定処理を行う。即ち、探査計測インピーダンスが所定の変動値、例えば、±１Ω以内であるかの判定処理を行う。
【０２０７】
次に、ステップＳ４３に移行し、Ｚｔｍ□xが安定条件を満足するか否かの判定を行う。ステップＳ４３において、安定条件を満足しないと判定された場合は、ステップＳ３９に移行し、ｘ←ｘ＋１、ｍ←０とする。
【０２０８】
ステップＳ４３において、Ｚｔｍ□xが安定条件を満足すると判定された場合は、ステップＳ４４へ移行し、皮下脂肪組織層インピーダンス（ＺＦＳ）算出処理を行う。すなわち、ｍ＝１とｍ＝□とのインピーダンス差値をｍ＝１〜□までの電極面積和（ΣＩＡ）で割ることにより皮下脂肪組織層インピーダンスＺＳＳを算出する。これを式で表すと次の通りである。
ＺＦＳ＝[Ｚｔｍx−Ｚｔｍ□x]／ΣＩＡ
次いで、ステップＳ４５へ移行し、探査測定完了報知処理を行う。即ち、ブザー等により、探査測定が完了したことを知らせ、このサブルーチンを完了する。
【０２０９】
次に、ステップＳ８の体幹部インピーダンス計測処理について、第一の実施形態を示す図４０のサブルーチンフローチャートを参照して、詳述する。この第一形態においては、前項７．（１２）および（１３）において説明したような「呼吸による変動の影響除去処理」および「飲食および膀胱等への水分貯留（尿等）による異常値判定処理」を行うものである。先ず、ステップＳ４６おいて、演算・制御部３０は、操作・入力部５１等からの指示に基づいて、カウンター等の初期設定体幹部のインピーダンスＺｔｍの測定データのサンプル数及びフラグＦの初期設定を行う。Ｆは、”１”、”０”のフラグである。
【０２１０】
続いて、ステップＳ４７において、演算・制御部３０は、測定タイミングか否かの判定を行う。そして、測定タイミングと判定された場合には、ステップＳ４８にて、演算・制御部３０は、体幹部インピーダンス（Ｚｔｍ）測定電極配置設定処理を行い体幹部インピーダンス（Ｚｔｍx）計測処理を行う。
【０２１１】
次いで、ステップＳ４７において測定タイミングでないと判定された場合には、ステップＳ４９に移行して、計測インピーダンス（Ｚｘ）データスムージング処理（移動平均処理等）を行う。それから、ステップ５０において、体幹部インピーダンス計測データ呼吸変動補正処理を行う。この補正処理については、図４１のサブルーチンフローチャートを参照して後述する。
【０２１２】
続いて、ステップＳ５１にて、演算・制御部３０は、各部位毎の計測インピーダンスの時系列安定性確認処理を行う。これは、ステップＳ４８の体幹部インピーダンス計測データ呼吸変動補正処理後の各値が所定回数所定変動以内の値に収束したかどうかを判定することによって行われる。
【０２１３】
ステップＳ５２において、演算・制御部３０は、測定したＺｔｍxが安定条件を満足するか否かの判定を行う。この判定は、呼吸周期毎の呼吸の中央値が規定回数規定以内の安定域に入った時点で、呼吸中央値確定と判断するようなものである。このステップＳ５２にて、安定条件が満足されたと判定される場合には、ステップＳ５３に移行して、確定した中央値のインピーダンス値を体幹部のインピーダンス値として、最終安定条件判定値を測定値結果値として記憶部４に登録する。一方、ステップＳ５２において、安定条件が満足されないと判定される場合には、ステップＳ４７に戻って同様の処理が繰り返される。
【０２１４】
ステップＳ５３に続いて、ステップＳ５４において、演算・制御部３０は、飲食および膀胱尿貯留等による異常値判定処理を行い、更に、ステップＳ５５において、測定の完了を報知器ブザー２２（図２参照）等を用いてブザー等で報知し、測定を完了する。尚、ステップ５３の異常値判定処理については、図４２のサブルーチンフローチャートを参照して後述する。
【０２１５】
次に、ステップＳ４９の体幹部インピーダンス計測データ呼吸変動補正処理について、図４１のサブルーチンフローチャートを参照して、詳述する。先ず、ステップＳ５６において、演算・制御部３０は、ステップＳ４９にて処理後の時系列データから変極点検知処理を行う。ステップＳ５７において、変極点か否かの判定を行う。これは、前後の微係数または差分値の極性変化位置のデータを検知することにより行われる。ステップＳ５７にて変極点であると判定される場合には、ステップＳ５８に進み、最大値か否かの判定がなされる。これは、最大値と最小値の振り分けを行うステップである。最大値でない場合には、ステップＳ５９にて、記憶部４に記憶された次の式にて最小値判定データ移動平均化処理が行われる。
[Ｚｔｍ]ｍｉｎx←（[Ｚｔｍ]ｍｉｎx-1＋[Ｚｔｍ]ｍｉｎx）／２
【０２１６】
ステップＳ５８において最大値と判定される場合には、ステップＳ６０において、記憶部４に記憶された次の式にて最大値判定データ移動平均化処理が行われる。
[Ｚｔｍ]ｍａｘx←（[Ｚｔｍ]ｍａｘx-1＋[Ｚｔｍ]ｍａｘx）／２
【０２１７】
続いて、ステップＳ６１において、一呼吸周期分の最大値と最小値データが確保されたかの判定がなされる。ステップＳ６１において、そのデータが確保されたと判定された場合には、ステップＳ６２にて、記憶部４に記憶された次の式にて呼吸変動中央値演算処理（最大値と最小値データの平均値演算）がなされる。
Ｚｔｍx←（[Ｚｔｍ]ｍａｘx＋[Ｚｔｍ]ｍｉｎx）／２
【０２１８】
次に、ステップＳ５４の飲食および膀胱尿貯留等による異常値判定処理について、図４２のサブルーチンフローチャートを参照して、詳述する。先ず、ステップＳ６３において、演算・制御部３０は、記憶部４に記憶された次の式にて、体幹部インピーダンス（Ｚｔｍ）が正常許容範囲内かのチェックを行う。
Ｍｅａｎ−３ＳＤ≦Ｚｔｍ≦Ｍｅａｎ＋３ＳＤ
ここで、許容値例としては、２６．７±４．８（Ｍｅａｎ±ＳＤ）に対して±３ＳＤが考えられる。
【０２１９】
ステップＳ６４において、体幹部インピーダンスが許容範囲内かの判定がなされる。許容範囲内でないと判定される場合には、ステップＳ６５に移行して、演算・制御部３０にて、体幹部（腹部）コンディション異常に関するメッセージ報知処理がなされ、表示部５２に適切なアドバイスの表示等がなされる。このアドバイスとしては、例えば、「体幹部コンディション異常につき、排便、排尿等の準備処理を実施」等の報知が考えられる。また、準備処理後も同様の判定結果となる場合は、異常値を用いて測定を完了させ、測定の中止はしないようにすることもできる。
【０２２０】
ステップＳ６４において許容範囲内と判定される場合には、ステップＳ６６において、演算・制御部３０は、体幹部（腹部）コンディション正常に関するメッセージ報知処理がなされ、表示部５２に適切なアドバイスの表示等がなされる。このアドバイスとしては、例えば、「体幹部コンディション正常」等の報知が考えられる。
【０２２１】
このような操作および動作にて、本発明によれば、体幹部（体幹部腹部）の内臓脂肪組織情報を求めることができ、しかも、呼吸による変動の影響除去処理や飲食および膀胱等への水分貯留（尿等）による異常判定処理を行い、それに応じたアドバイス情報も提供できる。なお、前述の実施例では、体幹部内臓脂肪組織情報を脂肪率として求めるものとしたが、本発明は、これに限らず、適当な変換式等を用いることにより、横断面積量や、体積量や重量等として求めることができるものである。
【産業上の利用可能性】
【０２２２】
本発明によれば、内臓器組織付近に付着する内臓脂肪組織の蓄積具合を、簡単に精度良く測定することができる。
【０２２３】
本発明によれば、小型で簡便な装置にて体幹部内臓脂肪組織を精度よく測定できるので、家庭用として最適なものとすることもできる。しかも、測定前の腹部コンディションチェック、すなわち、内臓器組織等での炎症や病的な体液分布異常の早期チェック等も可能で、それに応じた適切な健康指針アドバイスも与えることができる。したがって、ユーザにとっては、食事および運動による日々のダイエットを適正に行い且つそのためのモチベーションを維持し、継続可能な健康の維持増進の自己管理をする上で役立つ諸情報を簡便な仕方で得ることができ、非常に有用なものとなる。
【図面の簡単な説明】
【０２２４】
【図１】本発明の第１の実施形態として体幹部内臓・皮下脂肪測定装置の外観を示す斜視図である。
【図２】図１の装置に用いられているグリップ電極部の拡大斜視図である。
【図３】図１の装置の構成を示すブロック図である。
【図４】図１の装置の他の構成を示すブロック図である。
【図５】本装置の第２の実施形態の装置を示す斜視図である。
【図６（ａ）】本発明の第３の実施形態の装置を示す斜視図である。
【図６（ｂ）】図６（ａ）の装置のグリップ電極部を把持して、接触面の電極を腹部に押し当てて、測定を実施している状態を示す図である。
【図７（ａ）】本発明の第４の実施形態の装置を示す斜視図である。
【図７（ｂ）】図７（ｂ）の装置の一方のグリップ電極部の拡大図である。
【図８】本発明において使用する四肢誘導法について説明するための模式図である。
【図９】体幹腹部の構造を模式的に示す図である。
【図１０】図８の体幹腹部の構造を、皮下脂肪組織層を省略して考えた体幹腹部の電気的等価回路として示す図である。
【図１１】図８の体幹腹部の構造を、皮下脂肪組織層を省略せずに考えた体幹腹部の電気的等価回路として示す図である。
【図１２】図８に示した体幹部の模式図を臍高さにおける腹囲周横断面にてモデル化した図である。
【図１３】図１２のモデル図を電気的等価回路として表した図である。
【図１４】図１２の回路を簡略化して示したものである。
【図１５】電極間距離と広がり抵抗の関係を説明する図である。
【図１６】電極間距離と広がり抵抗の関係を説明する図である。
【図１７】体幹腹部の脂肪を計測する場合の電流印加電極の最適電極面積配置を探索する状態を説明するための概略図である。
【図１８】図１７の電極配置においてマルチ電流印加電極の電極面積またはマルチ細分化電極数の増大につれて電圧計測電極間電位差がどのように変化するかの一例を示す図である。
【図１９】本発明により最適電極面積にて体幹腹部の脂肪組織を計測する場合の電極配置実施例１を説明するための概略図である。
【図２０】本発明により最適電極面積にて体幹腹部の脂肪組織を計測する場合の電極配置実施例２を説明するための概略図である。
【図２１】本発明により最適電極面積にて体幹腹部の脂肪組織を計測する場合の電極配置実施例３を説明するための概略図である。
【図２２】本発明により最適電極面積にて体幹腹部の脂肪組織を計測する場合の電極配置実施例４を説明するための概略図である。
【図２３】本発明により最適電極面積にて体幹腹部の脂肪組織を計測する場合の電極配置実施例５を説明するための概略図である。
【図２４】図２１の電極配置実施例３の場合の電極ドライブ操作実施例を説明するための図である。
【図２５】四肢部と体幹部の組み合わせ電極配置例である。
【図２６】四肢部と体幹部の組み合わせ電極配置例である。
【図２７】四肢部と体幹部の組み合わせ電極配置例である。
【図２８】四肢部と体幹部の組み合わせ電極配置例である。
【図２９】四肢部と体幹部の組み合わせ電極配置例である。
【図３０】四肢部と体幹部の組み合わせ電極配置例である。
【図３１】四肢部と体幹部の組み合わせ電極配置例である。
【図３２】四肢部と体幹部の組み合わせ電極配置例である。
【図３３】四肢部と体幹部の組み合わせ電極配置例である。
【図３４】四肢部と体幹部の組み合わせ電極配置例である。
【図３５】本発明の一つの実施例としての体幹部への通電誘導法による内臓脂肪組織の特定計測基本フローを示す図である。
【図３６】図３５の基本フローのサブルーチンとしての皮下脂肪組織量および皮下脂肪組織層インピーダンスの推定処理フローを示す図である。
【図３７】図３５の基本フローのサブルーチンとしての内臓器組織量および内臓器組織インピーダンスの推定処理フローを示す図である。
【図３８】図３５の基本フローのサブルーチンとしての内臓脂肪組織インピーダンスおよび内臓脂肪組織量の推定処理フローを示す図である。
【図３９】図３５の基本フローのサブルーチンとしての最適電極面積配置探査の処理フローを示す図である。
【図４０】図３５の基本フローのサブルーチンとしての四肢部、体幹部インピーダンス計測処理フローを示す図である。
【図４１】図４０の四肢部、体幹部インピーダンス計測処理フローのサブルーチンとしての体幹中部インピーダンス計測データ呼吸変動補正処理フローを示す図である。
【図４２】図４０の四肢部、体幹部インピーダンス計測処理フローのサブルーチンとしての飲食および膀胱尿貯留等による異常値判定処理フローを示す図である。
【符号の説明】
【０２２５】
１  体幹部内臓・皮下脂肪測定装置
４  記憶部（メモリ）
５  操作表示パネル
１１  本体部
１０ａ〜ｎ  電流印加電極
１１ａ〜ｎ  電圧計測電極
１８  電源部
２０  電圧計測電極選択部
２１Ａ  電流印加電極選択部
２１Ｂ  切換部
２２  報知ブザー
２３  差動増幅器
２４  バンドパスフィルタ
２５  検波部
２６  増幅器
２７  Ａ／Ｄ変換器
３０  演算・制御部
３１  印刷部
５１  操作・入力部
５２  表示部
１２０  電線
１３０、１４０  グリップ電極部
Ａ  臍
Ａ１〜ｎ、Ａ’１〜ｎ、Ｂ１〜ｎ、Ｃ１〜ｎ  マルチ電極
ＳＡ  仮想電極位置
【図１】
0004684798.tif 000002
【図２】
0004684798.tif 000003
【図３】
0004684798.tif 000004
【図４】
0004684798.tif 000005
【図５】
0004684798.tif 000006
【図６（ａ）】
0004684798.tif 000007
【図６（ｂ）】
0004684798.tif 000008
【図７（ａ）】
0004684798.tif 000009
【図７（ｂ）】
0004684798.tif 000010
【図８】
0004684798.tif 000011
【図９】
0004684798.tif 000012
【図１０】
0004684798.tif 000013
【図１１】
0004684798.tif 000014
【図１２】
0004684798.tif 000015
【図１３】
0004684798.tif 000016
【図１４】
0004684798.tif 000017
【図１５】
0004684798.tif 000018
【図１６】
0004684798.tif 000019
【図１７】
0004684798.tif 000020
【図１８】
0004684798.tif 000021
【図１９】
0004684798.tif 000022
【図２０】
0004684798.tif 000023
【図２１】
0004684798.tif 000024
【図２２】
0004684798.tif 000025
【図２３】
0004684798.tif 000026
【図２４】
0004684798.tif 000027
【図２５】
0004684798.tif 000028
【図２６】
0004684798.tif 000029
【図２７】
0004684798.tif 000030
【図２８】
0004684798.tif 000031
【図２９】
0004684798.tif 000032
【図３０】
0004684798.tif 000033
【図３１】
0004684798.tif 000034
【図３２】
0004684798.tif 000035
【図３３】
0004684798.tif 000036
【図３４】
0004684798.tif 000037
【図３５】
0004684798.tif 000038
【図３６】
0004684798.tif 000039
【図３７】
0004684798.tif 000040
【図３８】
0004684798.tif 000041
【図３９】
0004684798.tif 000042
【図４０】
0004684798.tif 000043
【図４１】
0004684798.tif 000044
【図４２】
0004684798.tif 000045